(57)【要約】【課題】高品質な動画像を適切に提供することができる動画像処理システムを提供する。【解決手段】動画像を構成するフレーム画像が格納されるフレーム画像格納部１０３と、フレーム画像格納部１０３に格納されている各フレーム画像をＮ個（Ｎは２以上の整数）の領域に分割して、分割された各領域のフレーム画像でそれぞれ構成されるＮ個の分割動画像を取得する分割動画像取得部１０４と、分割動画像取得部１０４が取得したＮ個の分割動画像をＮ個の分割動画像格納部２０１に出力する出力部１０５と、分割動画像格納部２０１のそれぞれから分割動画像を構成する分割フレーム画像を個別に読み出し、読み出した分割フレーム画像を結合して、時系列に沿った結合済のフレーム画像を取得する結合処理部２０２と、結合処理部２０２が取得した結合済のフレーム画像を時系列に沿って順次表示する動画像表示部２０３とを備えた。【選択図】図１
2012114686.tif 000002
【特許請求の範囲】
【請求項１】
動画像を構成するフレーム画像が格納されるフレーム画像格納部と、
前記フレーム画像格納部に格納されている各フレーム画像をＮ個（Ｎは２以上の整数）の領域に分割して、分割された各領域のフレーム画像でそれぞれ構成されるＮ個の動画像である分割動画像を取得する分割動画像取得部と、
前記分割動画像取得部が取得したＮ個の分割動画像を出力する出力部とを備えた動画像処理装置。
【請求項２】
前記出力部は、前記Ｎ個の分割動画像を、異なるＮ個の格納部にそれぞれ蓄積する請求項１記載の動画像処理装置。
【請求項３】
前記分割動画像取得部は、前記動画像を構成する各フレーム画像の背景画像を除いた部分をＮ個の領域に分割してＮ個の分割動画像を構成する請求項１または請求項２記載の動画像処理装置。
【請求項４】
前記分割動画像取得部は、前記動画像を構成する各フレーム画像の背景画像を除いた部分をデータ量が略同一となるようＮ個の領域に分割してＮ個の分割動画像を構成する請求項１または請求項２記載の動画像処理装置。
【請求項５】
一の動画像を構成する各フレーム画像を、Ｎ個の領域に分割して得られた分割フレーム画像でそれぞれ構成される動画像であるＮ個の分割動画像が個別に格納されるＮ個の分割動画像格納部と、
前記Ｎ個の分割動画像格納部のそれぞれから分割動画像を構成する前記分割フレーム画像を読み出し、読み出した分割フレーム画像を結合して、時系列に沿った結合済のフレーム画像を取得する結合処理部と、
前記結合処理部が取得した結合済のフレーム画像を時系列に沿って順次表示する動画像表示部とを備えた動画像再生装置。
【請求項６】
前記結合処理部は、前記Ｎ個の分割動画像格納部のそれぞれから分割フレーム画像の読み出しを並列処理する請求項５記載の動画像再生装置。
【請求項７】
前記結合処理部は、前記分割動画像格納部よりも高速にアクセス可能な結合用格納部を備えており、前記Ｎ個の分割動画像格納部のそれぞれから読み出した分割フレーム画像を、当該結合用格納部に蓄積して分割フレーム画像を結合することで、結合済のフレーム画像を取得する請求項５または請求項６記載の動画像再生装置。
【請求項８】
前記分割動画像は、分割フレーム画像の、前記結合済のフレーム画像内における位置を示す位置情報を有しており、
前記結合処理部は、前記位置情報が示す位置に各分割フレーム画像を配置して、結合済のフレーム画像を取得する請求項５から請求項７いずれか記載の動画像再生装置。
【請求項９】
前記Ｎ個の分割動画像格納部には、一の動画像のうちの背景画像を除いた部分が、表示領域についてＮ個に分割されたＮ個の分割動画像が個別に格納されており、
前記結合処理部は、前記分割フレーム画像を結合した画像の背景を前記背景画像で満たして前記結合済のフレーム画像を取得する請求項５から請求項８いずれか記載の動画像再生装置。
【請求項１０】
動画像を構成するフレーム画像が格納されるフレーム画像格納部と、
前記フレーム画像格納部に格納されている各フレーム画像をＮ個の領域に分割して、分割して得られた各領域のフレーム画像である分割フレーム画像でそれぞれ構成されるＮ個の動画像である分割動画像を取得する分割動画像取得部と、
前記Ｎ個の分割動画像が個別に格納されるＮ個の分割動画像格納部と、
前記分割動画像取得部が取得したＮ個の分割動画像を、前記Ｎ個の分割動画像格納部に個別に蓄積する出力部と、
前記Ｎ個の分割動画像格納部のそれぞれから分割動画像を構成する分割フレーム画像を個別に読み出し、読み出した分割フレーム画像を結合して、時系列に沿った結合済のフレーム画像を取得する結合処理部と、
前記結合処理部が取得した結合済のフレーム画像を時系列に沿って順次表示する動画像表示部とを備えた動画像再生システム。
【請求項１１】
動画像を構成するフレーム画像が格納されるフレーム画像格納部と、分割動画像取得部と、出力部とを用いて行われる動画像処理方法であって、
前記分割動画像取得部が、前記フレーム画像格納部に格納されている各フレーム画像をＮ個（Ｎは２以上の整数）の領域に分割して、分割された各領域のフレーム画像でそれぞれ構成されるＮ個の動画像である分割動画像を取得する分割動画像取得ステップと、
前記出力部が、前記分割動画像取得ステップで取得したＮ個の分割動画像を出力する出力ステップとを備えた動画像処理方法。
【請求項１２】
一の動画像を構成する各フレーム画像を、Ｎ個の領域に分割して得られた分割フレーム画像でそれぞれ構成される動画像であるＮ個の分割動画像が個別に格納されるＮ個の分割動画像格納部と、結合処理部と、動画像表示部とを用いて行われる動画像再生方法であって、
前記結合処理部は、前記Ｎ個の分割動画像格納部のそれぞれから分割動画像を構成する前記分割フレーム画像を読み出し、読み出した分割フレーム画像を結合して、時系列に沿った結合済のフレーム画像を取得する結合処理ステップと、
前記動画像表示部が、前記結合処理ステップで取得した結合済のフレーム画像を時系列に沿って順次表示する動画像表示ステップとを備えた動画像再生装置。
【請求項１３】
動画像を構成するフレーム画像が格納されるフレーム画像格納部にアクセス可能なコンピュータを、
前記フレーム画像格納部に格納されている各フレーム画像をＮ個（Ｎは２以上の整数）の領域に分割して、分割された各領域のフレーム画像でそれぞれ構成されるＮ個の動画像である分割動画像を取得する分割動画像取得部と、
前記分割動画像取得部が取得したＮ個の分割動画像を出力する出力部として機能させるためのプログラム。
【請求項１４】
一の動画像を構成する各フレーム画像を、Ｎ個の領域に分割して得られた分割フレーム画像でそれぞれ構成される動画像であるＮ個の分割動画像が個別に格納されるＮ個の分割動画像格納部にアクセス可能なコンピュータを、
前記Ｎ個の分割動画像格納部のそれぞれから分割動画像を構成する前記分割フレーム画像を読み出し、読み出した分割フレーム画像を結合して、時系列に沿った結合済のフレーム画像を取得する結合処理部と、
前記結合処理部が取得した結合済のフレーム画像を時系列に沿って順次表示する動画像表示部として機能させるためのプログラム。
【発明の詳細な説明】
【技術分野】
【０００１】
本発明は、高品質な動画像を表示する装置等に関するものである。
【背景技術】
【０００２】
近年、動画像の記録再生技術等においては、デジタル化の普及や、プロセッサ等の処理速度等の向上に伴い、高画素数の動画像や、チャンネル当たりのビット数が高いいわゆるハイダイナミックレンジの動画像や、高フレームレートな動画像等のような、高品質な動画像の記録や再生が可能となっている。例えば、このような高品質な動画像を扱う画像処理装置等の一例としては、ＨＤ画像を処理するもの等が知られている（例えば、特許文献１参照）。また、このような動画像の高品質化は、年々進行しており、今後もより高画素数な動画像や、高フレームレートである動画像等が提供されることが期待される。
【先行技術文献】
【特許文献】
【０００３】
【特許文献１】特開平１１−５５６３０号公報（第１頁、第１図等）
【発明の概要】
【発明が解決しようとする課題】
【０００４】
しかしながら、高品質な動画像においては、画素数や、一画素当たりのビット数が増加するため、データ量が非常に大きくなる。このため、無圧縮、あるいは低圧縮率で圧縮した高品質な動画像を、転送速度が速くないハードディスク等の一般的に普及しているような記憶媒体に蓄積した場合、ハードディスク等の転送速度が高品質な動画像のデータの読み出しに必要な転送速度よりも遅くなる結果、ハードディスク等からリアルタイムで表示に必要が動画像のデータを順次読み出すことができず、動画像を適切に表示できないという課題があった。例えば、一般的なハードディスクの読み出し速度が６０〜１００ＭＢ／Ｓであるのに対し、１９２０×１０８０ピクセルでフレームレートが６０ｆｐｓである無圧縮の２４ｂｉｔカラーの動画像であるいわゆるフルＨＤ画像と呼ばれる動画像の読み出しに必要な速度は、１９２０×１０８０×６０×２４ｂｐｓ、つまり約４００ＭＢ／Ｓであるため、高品質なＨＤ画像等を、ハードディスク等から順次読み出しながら円滑に表示することは非常に困難であった。一方で、いわゆるＳＳＤ（Solid State Drive）と呼ばれるようなハードディスク等よりも高速のアクセスが可能な記憶媒体を動画像の蓄積先として用いることが考えられるが、このような記憶媒体は、ハードディスク等の普及している記憶媒体に対して値段が非常に高く、コスト面から実用的ではない。さらに、このようなＳＳＤ等の高速な記憶媒体を用いた場合であっても、今後、動画像の高品質化が進んで、動画像のデータサイズが増大した場合、無圧縮の動画像を読み出して再生することが困難になると考えられる。
【０００５】
このため、通常は、ＨＤ画像のような高品質な動画像については、ＭＰＥＧ等の圧縮率の高い圧縮技術を利用して圧縮されて提供されることが多い。このような圧縮を行うことで、データサイズが小さくなるため、通常のハードディスク等の転送速度が速くない記憶媒体からであっても、圧縮された動画像のデータを順次読み出して再生することが可能となる。しかしながら、このようなＭＰＥＧ等のフーリエ変換等を利用した圧縮率の高い圧縮技術で圧縮された画像は、画像に表示されるオブジェクト等のエッジがぼやけるなど、画像の劣化を招くことが知られている。このような画像の劣化は、ビデオカメラ等で撮影した自然画像のような画像内に大きな階調の変化が少ない動画像の記録再生する際においては特に画質上気にならない場合もあるが、ＣＧ（Computer Graphics）等で作成された動画像、特に、ＣＡＥ（Computer Aided Engineering）で作成された動画像のように実験データやシミュレーションの結果等を表示する動画像は、自然画像に比べて比較的階調の変化が大きいものが多いことから、動画像を高圧縮率で圧縮した場合、画質を大きく劣化させてしまうことが多い。ＣＡＥ（Computer Aided Engineering）で作成される動画像としては、例えば流体の挙動のシミュレーション結果を示す動画像等がある。このようなＣＡＥで作成された動画像においては、特に、実験結果の検証やシミュレーション結果の検証等を動画像で行う場合があるため、動画像においては、細部にわたって細かく精密に表現することが求められることから、細部のぼやけ等は好ましくなく、このような動画像に対して上記のような圧縮率の高い圧縮技術を適用することは適切ではないという課題があった。
【０００６】
このように、従来の画像記録再生装置等においては、無圧縮または低圧縮の高品質な動画像を適切に提供することができないという課題があった。
【課題を解決するための手段】
【０００７】
本発明の動画像処理装置は、動画像を構成するフレーム画像が格納されるフレーム画像格納部と、フレーム画像格納部に格納されている各フレーム画像をＮ個（Ｎは２以上の整数）の領域に分割して、分割された各領域のフレーム画像でそれぞれ構成されるＮ個の動画像である分割動画像を取得する分割動画像取得部と、分割動画像取得部が取得したＮ個の分割動画像を出力する出力部とを備えた動画像処理装置である。
【０００８】
かかる構成により、出力部が取得したＮ個の分割動画像を個別の格納部に格納するようにして、これらを読み出して再生することで、各格納部から読み出される分割動画像のデータ量を、各格納部の転送レートより小さいサイズに納めることができ、データ量が大きい高品質な動画像を、フレーム等の欠落等を生じさせることなく適切に提供することができる。また、各格納部に分割フレーム画像で構成される分割動画像がそれぞれ格納することで、動画像内の任意のフレームからの再生を行う場合であっても、分割フレーム画像の読み出しを迅速に行うことが可能となり、結合したフレーム画像の表示を迅速に行うことができる。
【０００９】
また、本発明の動画像処理装置は、前記動画像処理装置において、出力部は、Ｎ個の分割動画像を、異なるＮ個の格納部にそれぞれ蓄積する動画像処理装置である。
【００１０】
かかる構成により、これらを読み出して結合して再生することで、高品質な動画像を、フレーム等の欠落等を生じさせることなく適切に提供することができる。
【００１１】
また、本発明の動画像処理装置は、前記動画像処理装置において、分割動画像取得部は、動画像を構成する各フレーム画像の背景画像を除いた部分をＮ個の領域に分割してＮ個の分割動画像を構成する動画像処理装置である。
【００１２】
かかる構成により、背景画像を削減することで、各分割動画像格納部に格納される分割動画像のデータ量をより削減することができ、分割動画像格納部の数を削減したり、分割動画像格納部として、より安価な低速な転送レートのものを用いることが可能となる。
【００１３】
また、本発明の動画像処理装置は、前記動画像処理装置において、分割動画像取得部は、動画像を構成する各フレーム画像の背景画像を除いた部分をデータ量が略同一となるようＮ個の領域に分割してＮ個の分割動画像を構成する動画像処理装置である。
【００１４】
かかる構成により、各分割動画像格納部に格納される分割動画像のデータ量をほぼ同じサイズにすることができ、データ転送レートの違いによって発生する分割フレーム画像の読み込みにかかる時間のばらつきによる分割フレーム画像の結合の遅れ等を減らして、安定した画像表示を行うことができる。
【００１５】
また、本発明の動画像再生装置は、一の動画像を構成する各フレーム画像を、Ｎ個の領域に分割して得られた分割フレーム画像でそれぞれ構成される動画像であるＮ個の分割動画像が個別に格納されるＮ個の分割動画像格納部と、Ｎ個の分割動画像格納部のそれぞれから分割動画像を構成する分割フレーム画像を読み出し、読み出した分割フレーム画像を結合して、時系列に沿った結合済のフレーム画像を取得する結合処理部と、結合処理部が取得した結合済のフレーム画像を時系列に沿って順次表示する動画像表示部とを備えた動画像再生装置である。
【００１６】
かかる構成により、各分割動画像格納部からそれぞれ読み出して結合した分割フレーム画像を結合したフレーム画像を再生することで、再生時に各分割動画像格納部から読み出されるデータ量を、各分割動画像格納部の転送レートより小さいサイズに納めることができ、データ量が大きい高品質な動画像を、フレーム等の欠落等を生じさせることなく適切に提供することができる。また、各分割動画像格納部に分割フレーム画像で構成される分割動画像がそれぞれ格納されているため、動画像内の任意のフレームからの再生を行う場合であっても、分割フレーム画像の読み出しを迅速に行うことが可能となり、結合したフレーム画像の表示を迅速に行うことができる。
【００１７】
また、本発明の動画像再生装置は、前記動画像再生装置において、結合処理部は、Ｎ個の分割動画像格納部のそれぞれから分割フレーム画像の読み出しを並列処理する動画像再生装置である。
【００１８】
かかる構成により、分割フレーム画像の読み出しを迅速に行うことができ、高品質な動画像を、フレーム等の欠落等を生じさせることなく適切に提供することができる。
【００１９】
また、本発明の動画像処理装置は、前記動画像処理装置において、結合処理部は、分割動画像格納部よりも高速にアクセス可能な結合用格納部を備えており、Ｎ個の分割動画像格納部のそれぞれから読み出した分割フレーム画像を、結合用格納部に蓄積して分割フレーム画像を結合することで、結合済のフレーム画像を取得する動画像再生装置である。
【００２０】
かかる構成により、読み出した後の処理の遅れ等を減らして、高品質な動画像を、フレーム等の欠落等を生じさせることなく適切に提供することができる。
【００２１】
また、本発明の動画像再生装置は、前記動画像再生装置において、分割動画像は、分割フレーム画像の、結合済のフレーム画像内における位置を示す位置情報を有しており、結合処理部は、位置情報が示す位置に各分割フレーム画像を配置して、結合済のフレーム画像を取得する動画像再生装置である。
【００２２】
かかる構成により、分割フレーム画像の結合時には、単に位置情報が示す位置に分割フレーム画像を配置するだけで良いため、動画像再生装置において複雑な処理が不要となる。
【００２３】
また、本発明の動画像処理装置は、前記動画像処理装置において、Ｎ個の分割動画像格納部には、一の動画像のうちの背景画像を除いた部分が、表示領域についてＮ個に分割されたＮ個の分割動画像が個別に格納されており、結合処理部は、分割フレーム画像を結合した画像の背景を背景画像で満たして結合済のフレーム画像を取得するである。
【００２４】
かかる構成により、分割フレーム画像のデータ量を削減して読み出しを迅速に行うことができる。また、結合後のフレーム画像については、単に背景を背景画像で埋め込む処理を行うだけで良いため、処理の負担は大きく変化しない用にすることができる。
【００２５】
また、本発明の動画像再生システムは、動画像を構成するフレーム画像が格納されるフレーム画像格納部と、フレーム画像格納部に格納されている各フレーム画像をＮ個の領域に分割して、分割して得られた各領域のフレーム画像である分割フレーム画像でそれぞれ構成されるＮ個の動画像である分割動画像を取得する分割動画像取得部と、Ｎ個の分割動画像が個別に格納されるＮ個の分割動画像格納部と、分割動画像取得部が取得したＮ個の分割動画像を、Ｎ個の分割動画像格納部に個別に蓄積する出力部と、Ｎ個の分割動画像格納部のそれぞれから分割動画像を構成する分割フレーム画像を個別に読み出し、読み出した分割フレーム画像を結合して、時系列に沿った結合済のフレーム画像を取得する結合処理部と、結合処理部が取得した結合済のフレーム画像を時系列に沿って順次表示する動画像表示部とを備えた動画像再生システムである。
【００２６】
かかる構成により、各分割動画像格納部からそれぞれ読み出して結合した分割フレーム画像を結合したフレーム画像を再生することで、再生時に各分割動画像格納部から読み出されるデータ量を、各分割動画像格納部の転送レートより小さいサイズに納めることができ、データ量が大きい高品質な動画像を、フレーム等の欠落等を生じさせることなく適切に提供することができる。また、各分割動画像格納部に分割フレーム画像で構成される分割動画像がそれぞれ格納されているため、動画像内の任意のフレームからの再生を行う場合であっても、分割フレーム画像の読み出しを迅速に行うことが可能となり、結合したフレーム画像の表示を迅速に行うことができる。
【発明の効果】
【００２７】
本発明による動画像再生システム等によれば、高品質な動画像を適切に提供することができる。
【図面の簡単な説明】
【００２８】
【図１】本発明の実施の形態における動画像再生システムのブロック図
【図２】同動画像処理装置の動作を説明するためのフローチャート
【図３】同動画像再生装置の動作を説明するためのフローチャート
【図４】同概念図
【図５】同動画像処理装置に格納されている動画像の一例を示す模式図
【図６】同動画像処理装置が蓄積したフレーム画像を示す模式図
【図７】同動画像処理装置の分割フレーム画像の処理を説明するための簡略化したフレーム画像を示す図
【図８】同動画像処理装置の画素数管理情報を示す図
【図９】同動画像処理装置がフレーム画像から取得した分割フレーム画像を示す図
【図１０】同動画像処理装置によって分割される各フレーム画像内のＮ個の領域を模式的に示す図
【図１１】同動画像処理装置によって分割フレーム画像を結合して取得された第一分割動画像〜第四分割動画像を模式的に示す図
【図１２】同動画像処理装置によって分割フレーム画像を結合して得られた第一分割動画像〜第四分割動画像を示す図を示す図
【図１３】同動画像再生装置が、第一分割フレーム画像〜第四分割フレーム画像にライン別に格納されている画像を、位置情報が示す位置に配置する処理の例を示す図
【図１４】同動画像再生装置により結合され、結合用格納部２０２１に格納されたフレーム画像を示す図
【図１５】本発明の実施の形態におけるコンピュータシステムの外観の一例を示す図
【図１６】同コンピュータシステムの構成の一例を示す図
【発明を実施するための形態】
【００２９】
以下、動画像処理装置等の実施形態について図面を参照して説明する。なお、実施の形態において同じ符号を付した構成要素は同様の動作を行うので、再度の説明を省略する場合がある。
【００３０】
（実施の形態）
図１は、本実施の形態における動画像再生システム１０００のブロック図である。
【００３１】
動画像再生システム１０００は、動画像処理装置１および動画像再生装置２を備える。
【００３２】
動画像処理装置１は、動画像格納部１０１、フレーム画像取得部１０２、フレーム画像格納部１０３、分割動画像取得部１０４、および出力部１０５を備える。
【００３３】
動画像再生装置２は、Ｎ（Ｎは２以上の整数）個の分割動画像格納部２０１、結合処理部２０２、および動画像表示部２０３を備える。なお、ここでは、説明のため、Ｎ個の分割動画像格納部２０１のそれぞれを、第１の分割動画像格納部２０１−１から第Ｎの分割動画像格納部２０１−Ｎとして表している。
【００３４】
また、結合処理部２０２は、結合用格納部２０２１および処理部２０２２を備える。
【００３５】
動画像処理装置１は、例えば、動画像再生装置２による再生に用いられる動画像を生成する装置である。
【００３６】
動画像格納部１０１には動画像が格納される。動画像格納部１０１に格納される動画像は、再生順番を示す情報等と対応付けられた複数のフレーム画像により構成される。フレーム画像とは、動画像の各フレームを構成する画像である。フレーム画像は、動画像の各フレームを出力可能な情報であればデータ構造等は問わない。各フレーム画像は、通常、ビットマップ画像である。動画像格納部１０１に格納される動画像は、例えば、ＣＧで作成された動画像であることが好ましい。特に、ＣＡＥで作成された動画像であることが好ましい。また、動画像は、カラーの動画像であっても良いし、グレースケールの動画像であっても良いし、白黒画像であっても良い。また、動画像を構成するフレーム画像の各画素のビット数等は問わない。動画像格納部１０１に格納される動画像は、無圧縮の動画像や、可逆圧縮等の画像劣化の少ない圧縮が行われた動画像であることが好ましい。この動画像のファイル形式等は問わない。動画像格納部１０１は、不揮発性の記録媒体が好適であるが、揮発性の記録媒体でも実現可能である。
【００３７】
フレーム画像取得部１０２は、動画像格納部１０１に格納されている一の動画像から、この動画像を構成するフレーム画像を取得する。そして、取得したフレーム画像を、後述するフレーム画像格納部１０３に蓄積する。フレーム画像取得部１０２は、例えば、動画像の一のフレーム画像を一の画像ファイルとして取得する。フレーム画像取得部１０２は、例えば、動画像を構成するフレーム画像から個別のフレーム画像を抽出する。フレーム画像取得部１０２は、取得したフレーム画像を、フレーム画像の再生順番と対応付けて、フレーム画像格納部１０３に蓄積することが好ましい。例えば、フレーム画像取得部１０２は、再生順番を示す情報と対応付けて取得したフレーム画像を蓄積することが好ましい。例えば、フレーム画像取得部１０２は、ファイル名として、フレーム画像の再生順番を示す情報である連続した番号や記号や、再生順番を示す情報である再生開始からの再生時刻を示す情報であるタイムコードを付与したフレーム画像のファイルを、フレーム画像格納部１０３に蓄積する。ただし、再生順番を示す情報と対応付けて蓄積する代わりに、単に再生順番に沿った順番で並ぶように取得したフレーム画像を蓄積してもよい。フレーム画像取得部１０２は、例えば、単独で画像を生成可能なフレーム画像を取得する。例えば、動画像の一のフレームが他のフレームに対する差分のみで構成される画像である場合、この差分のフレームを、差分の元となるフレームに加えて得られるフレーム画像を取得する。但し、差分画像等をフレーム画像として取得しても良い。なお、フレーム画像取得部１０２は、動画像格納部１０１に格納されている動画像から、１フレーム、あるいは数フレーム単位で、再生順番等に沿ってフレーム画像を取得して、フレーム画像格納部１０３に蓄積してもよい。動画像格納部１０１に格納されている一の動画像の全体からフレーム画像を取得しても良いし、動画像の一部からだけフレーム画像を取得しても良い。フレーム画像取得部１０２は、通常、ＭＰＵやメモリ等から実現され得る。フレーム画像取得部１０２の処理手順は、通常、ソフトウェアで実現され、当該ソフトウェアはＲＯＭ等の記録媒体に記録されている。但し、ハードウェア（専用回路）で実現しても良い。
【００３８】
フレーム画像格納部１０３には、一の動画像を構成するフレーム画像が格納される。フレーム画像格納部１０３には、例えば、動画像を構成する各フレーム画像のそれぞれが個別に格納される。例えば、各フレーム画像が個別の画像ファイルとして格納される。格納されるフレーム画像は、動画像の一部のフレーム画像であっても良いし、動画像全体のフレーム画像であっても良い。フレーム画像格納部１０３には、例えば、再生順番や時系列に沿って連続したフレーム画像が格納される。フレーム画像格納部１０３には、例えば、フレーム画像が、再生順番と対応付けて格納されている。具体的には再生順番を示す情報と対応付けて格納されている。例えば、ファイル名として、フレーム画像の再生順番を示す情報である連続した番号や記号や、再生順番を示す情報である再生開始からの再生時刻を示す情報であるタイムコードが付与されたフレーム画像のファイルが格納される。ただし、再生順番を示す情報と対応付けて格納される代わりに、単に再生順番に沿った順番で並ぶように取得したフレーム画像が格納されていてもよい。
【００３９】
フレーム画像格納部１０３に格納されるフレーム画像は、例えば、フレーム画像取得部１０２により取得された動画像格納部１０１に格納されている動画像から取得されたフレーム画像である。ただし、フレーム画像格納部１０３に格納されるフレーム画像は、必ずしも動画像から取得されたフレーム画像でなくてもよく、例えば、図示しないコンピュータにＣＧやＣＡＥのソフトウェアを実行させてレンダリング等を行うこと等により作成された、動画像を構成する各フレーム画像として用いることが可能な複数の連続した静止画像であっても良い。
【００４０】
なお、フレーム画像格納部１０３におけるフレーム画像の格納は、フレーム画像取得部１０２が動画像から取得したフレーム画像の一時記憶と考えても良い。例えば、後述する分割動画像取得部１０４で処理するために順次フレーム画像取得部１０２が読み出した１あるは複数のフレーム画像がフレーム画像格納部１０３に順次一時記憶されても良い。フレーム画像格納部１０３に格納されるフレーム画像のデータ形式は問わない。フレーム画像格納部１０３は、不揮発性の記録媒体が好適であるが、揮発性の記録媒体でも実現可能である。
【００４１】
分割動画像取得部１０４は、フレーム画像格納部１０３に格納されている各フレーム画像をＮ個（Ｎは２以上の整数）の領域に分割する。そして、分割された各領域のフレーム画像でそれぞれ構成されるＮ個の動画像である分割動画像を取得する。ここでは、分割されたフレーム画像を分割フレーム画像と呼ぶ。分割動画像取得部１０４は、どのように各フレーム画像をＮ個の領域に分割しても良い。例えば、分割動画像取得部１０４は、各フレーム画像をＰ行×Ｑ列のマトリクス状のＮ個の領域に分割しても良い。ただし、ＰまたはＱの少なくとも一方が２以上の値であるとする。この際、各分割フレーム画像の形状および大きさが略同一となるよう、各フレーム画像を等分割してもよい。分割動画像取得部１０４は、各分割フレーム画像のデータ量が略同一となるようフレーム画像を分割することが好ましい。なおこの場合のデータ量を画素数と考えても良い。例えば分割フレーム画像間のデータ量の差が、予め指定されたデータ量以下（例えば一ライン分のデータ量以下）である場合を、ここでは略同一と考えても良い。再生時の分割フレーム画像の読み出し速度をほぼ同一とするためである。分割動画像取得部１０４は、フレーム画像を分割する際に、ｘ軸に平行な方向（横方向）に連続する画素の配列を、分割したフレーム画像を構成する最小単位としてフレーム画像を分割することが好ましい。再生時の分割フレーム画像を結合する処理を簡略化して高速化を図るためである。以下、フレーム画像のｘ軸に平行な方向（横方向）に連続する画素の配列を画素のライン、または単にラインと呼ぶ。また、Ｎ個の各領域が、連続した画素で構成されるよう、フレーム画像を分割することが好ましい。分割フレーム画像を結合する際の処理を簡略化して高速化するためである。ただし、ライン単位で分割しなくてもよく、例えば画素単位で分割しても良い。
【００４２】
分割動画像取得部１０４は、複数のフレーム画像を、サイズ及び位置関係が共通するＮ個の領域に分割しても良いし、各フレーム画像ごとに、サイズ及び位置関係が異なるＮ個の領域に分割しても良い。
【００４３】
分割動画像取得部１０４は、例えば、各フレーム画像内における配列されている順番が同じ順番である領域から取得された分割フレーム画像同士をそれぞれ用いてＮ個の分割動画像を取得する。各フレーム画像内における配列されている順番が同じ順番である領域とは、例えば、各フレーム画像における上（あるいは下、右、左等）から数えた順番が同じ順番となる領域である。また、各フレーム画像がＰ行Ｑ列のマトリクス状の領域に分割される場合、行及び列の値が同じとなる領域である。例えば、行及び列の幅が異なっていても、行の値と列の値が同じ領域同士を結合して分割動画像を得る。また、特に、分割対象となる全てのフレーム画像が、サイズおよび位置関係が共通するＮ個の領域に分割する場合、分割動画像取得部１０４は、例えば、分割フレーム画像のうちの、各フレーム画像の共通する領域から取得された分割フレーム画像を用いて分割動画像を構成してもよい。なお、分割された領域に識別情報が割り当てられており、各領域から取得された分割フレーム画像に、領域の識別情報が対応付けられているようにする場合等においては、領域の識別情報が同じである分割フレーム画像同士を用いて分割動画像を取得するようにしてもよい。
【００４４】
分割動画像取得部１０４は、例えば、各フレーム画像を分割して、再生順番と対応付けられているＮ組の分割フレーム画像を取得する。この再生順番は、分割元のフレーム画像の再生順番である。分割動画像取得部１０４が取得するＮ個の分割動画像において、各分割動画像を構成する複数の分割フレーム画像は、通常、再生順番、あるいは時間軸と対応付けられている。そして、再生順番と対応付けられた分割フレーム画像をそれぞれ有するＮ個の分割動画像を取得する。分割動画像においては、各分割フレーム画像は、再生順番を示す情報を対応付けて格納されていても良いし、単に再生順番に沿って各分割フレーム画像が、配列されていてもよい。
【００４５】
分割動画像取得部１０４が、分割された各領域のフレーム画像（分割フレーム画像）を用いて取得するＮ個の分割動画像は、無圧縮の動画像であっても良いし、圧縮された動画像であっても良い。但し、圧縮を行う場合、可逆圧縮等の、画像の劣化のない、あるいは少ない圧縮を行うことが好ましい。例えば、画像の劣化を生じるフーリエ変換等を用いた圧縮を行わないようにすることが好ましい。なお、分割動画像は、動画像として再生可能なデータであればファイル形式やデータ構造等は問わない。例えば、連番やタイムコード等が付与された複数の静止画像の群（例えばファイル群）であってもよい。
【００４６】
また、分割動画像取得部１０４は、例えば、分割動画像を構成する各分割フレーム画像について、分割前の動画像（あるいはフレーム画像）内におけるこの分割フレーム画像が配置されていた領域の位置を示す位置情報を、各分割フレーム画像が配置される位置を示す情報として有している。この位置情報は、例えば、分割前の動画像内（フレーム画像内）の座標で表される。この位置情報は、例えば、動画像再生装置２が、分割動画像を結合する際に用いられる。この座標としては、例えば、各画素（ピクセル）を単位として示した座標が用いられる。例えば、分割フレーム画像の中心や、コーナーの座標等で表される。なお、分割動画像が全て分割前の動画像の同じ領域から取得された分割フレーム画像で構成されたものである場合、この領域の位置を示す情報を、分割前の動画像（あるいはフレーム画像）内におけるこの分割動画像が配置される位置を示す位置情報として有していても良い。
【００４７】
また、分割動画像取得部１０４は、動画像を構成する各フレーム画像の背景画像を除いた部分をＮ個の領域に分割してＮ個の分割動画像を構成するようにしてもよい。背景画像とは、例えば、動画像内の変化（動き）の少ない、好ましくは静止している部分の画像、またはその一部である。変化の少ないとは、例えば前後のフレーム画像間で、異なる画素数や画素の比率が閾値以下の場合等を指す。本実施の形態においては、背景画像は、ユーザ等により予め背景であるとして指定された条件を満たす画像としてもよい。例えば、動画像内（あるいはフレーム画像内）の予め指定された色（背景色）やを有する１以上の画素で構成される画素群という条件を満たす画素群（またはその一部）を背景画像としてもよい。ただし、画素群は、一つの画素も含む概念であるとする。また、動画像内（あるいはフレーム画像内）の予め指定されたパターン画像と一致するパターンを有する画素群であるという条件を満たす画素群（またはその一部）を背景画像としてもよい。また、予め指定された背景色と同じ色を有する画素群であって、動画像（フレーム画像）の辺に接するｘ軸に平行な方向（横方向）に伸びる連続した画素群を背景画像としてもよい。また、予め、ラインごとに、予め背景色を指定しておくようにして、各ラインの端部から連続する同じ色を有する２以上の画素で構成される画素群であって、各ラインに指定された背景色と一致する色を有する画素群を、背景画像としてもよい。このとき、ラインに指定する色を、ラインの上から下に向かって段階的に異なる濃度の色に設定することで、動画像の上から下へ向かうグラデーションの背景画像を検出することができる。また、特に背景色を指定せずに、動画像（フレーム画像）の辺に接するｘ軸に平行な方向（横方向）に伸びる連続した同色の画素群や、辺に接する同色の画素群を背景画像としてもよい。あるいは予め用意された背景用の画像と一致する部分や、フレーム間の比較により変化がないと判断された画素群を背景画像としてもよい。
【００４８】
分割動画像取得部１０４は、フレーム画像から、背景画像を除いた画像の部分を検索し、その領域を指定する座標の情報（例えば、領域の外周を指定する座標の情報や、各ラインの端部の座標の情報等）を取得する。例えば、分割動画像取得部１０４は、各フレーム画像から、背景画像を検出して、この背景画像を除いた部分の画像を背景画像以外の部分として検出する。そしてこの検出した画像を、Ｎ個の領域に分割して、Ｎ個の分割フレーム画像を生成し、この背景画像を除いたＮ個の分割フレーム画像をそれぞれ用いてＮ個の分割動画像を生成する。分割動画像取得部１０４は、上述したような背景画像の条件を満たす画素群を、動画像（フレーム画像）内で検出することで、動画像内（フレーム画像内）から背景画像を検出することができる。なお、背景画像は、動画像再生装置２において動画像を表示する際に必要となるため、例えば、背景画像を再取得するための情報を、分割動画像と対応付けて蓄積したり、予め動画像再生装置２内にこの情報を蓄積しておく必要がある。背景画像を再取得するための情報は、背景画像が、予め指定された背景色や、ラインごとに指定された背景色や、パターン画像や、予め用意された背景用の画像等を用いて検出される場合は、例えば、この背景色を示す情報や、パターン画像や背景用の画像等である。また、フレーム画像等の辺から連続した２以上の同じ色を有する画素で構成される画素群を背景画像とする場合等には、この背景画像の画素の色の情報を背景色として取得して、分割動画像と対応付けて出力（例えば、分割動画像格納部２０１に蓄積）するようにしても良い。
【００４９】
以下、分割動画像を取得する処理の一例について説明する。ここでは、フレーム画像の横方向の端部（即ち左辺また右辺の少なくとも一方）からｘ軸に平行な方向に連続している予め指定された背景色と一致する画素群を、背景画像と定義する場合を例に挙げて説明する。
【００５０】
分割動画像取得部１０４は、例えば、各フレーム画像の各ラインについて、背景以外の画像が配置されている部分を検索し、その両端の座標を順次取得する。例えば、各フレーム画像を構成する一のラインについて、両端からそれぞれ内側に向かって、予め指定された背景色（例えば黒）の画素の検出を順次行う。そして、予め指定された背景色の画素以外の画素が両側に検出された場合に、両側に検出された画素の外側の画素の並びを、背景画像の画素と判断し、背景色の画素以外の画素で挟まれた部分（挟んでいる画素を含む）の画素群を、背景画像以外の画像の画素群であると判断する。同様の処理を、同じフレーム画像のその他のラインについても繰り返す。これによって、分割動画像取得部１０４は、各フレーム画像から背景画像を除いた画像を検出することができる。
【００５１】
次に、背景画像を除いたフレーム画像を、ｘ軸に平行なＮ個の領域に分割して分割フレーム画像を生成する。そして、各分割フレーム画像の背景画像を除いた部分の画像（画素列）を、ライン単位でそれぞれ読み出す。このようにしてＮ個に分割された各領域からライン単位で読み出された画像が、各分割フレーム画像となる。なお、分割フレーム画像においては、ライン単位で読み出した画素列同士をつなぎ合わせてもよい。なお、ライン単位で読み出した画像の、元のフレーム画像（あるいは分割フレーム画像）における配置を示す情報は、例えば、ライン単位で読み出された画素列の情報と対応付けて、分割フレーム画像内、または分割動画像内等に蓄積する。この情報は、例えば、ライン単位で読み出された背景画像を除く画素列の左端や右端や中心等の座標を示す情報である。分割動画像取得部１０４は、同様に、次以降のフレーム画像から取得した分割フレーム画像からも同様にして画像を取得していく。このようにして取得した分割フレーム画像を、例えばフレーム画像の再生順番と対応付ける、あるいは対応付けて結合することで、分割動画像を取得する。なお、再生順番と対応付けるということは、再生順番の順番で分割フレーム画像を並べることであっても良いし、再生順番を示す情報を各分割フレーム画像に対応付けることであってもよい。上記のようにして、背景画像のデータ分だけデータ量を削減した分割動画像を作成できる。
【００５２】
なお、分割動画像取得部１０４は、動画像を構成する各フレーム画像の背景画像を除いた部分をデータ量が略同一となるようＮ個の領域に分割してＮ個の分割フレーム画像を構成するようにしてもよい。略同一とは、例えば、分割動画像間のデータ量（あるいは画素数）の違いが、予め指定された値以下である場合を意味する。例えば、画素数の違いが、フレーム画像の１あるいは複数のラインを構成する画素数未満となる場合を略同一としても良い。また、分割フレーム画像が分割の最小単位に起因する誤差を含んでいる場合も略同一と考えても良い。例えば、分割をライン単位で行う場合に発生する誤差の累積によって、１以上の分割フレーム画像のデータ量が他の分割フレーム画像のデータ量に対して大きく異なるものとなった場合も、ここでは略同一と考えて良い。また、通常であれば、画素数の差が、予め指定された値の範囲となるようフレーム画像を分割できると考えられる分割処理によって得られたＮ個の分割フレーム画像のデータ数（あるいは画素数）が、フレーム画像から背景画像を除いた部分の画素の分布によって結果的に大きくばらついたとしても、このような処理で得られたＮ個の分割フレーム画像のデータ量を略同一と考えても良い。
【００５３】
分割動画像取得部１０４は、例えば、上記の一例のように、各フレーム画像を構成するラインのそれぞれについて背景画像以外の画像の画素列を検出した後、各画素列について、背景画像以外の画素のデータ量をカウントして取得する。データ量の代わりに、画素数をカウントしても良い。画素数であれば、背景画素以外の画素の両端の座標の値を用いることで、画素数は算出可能である。そして、各ラインについて取得した画素のデータ量を加算して、フレーム画像内の背景画像以外の部分のデータ量の値を取得する。そして、このデータ量を予め指定されているＮの値で除算して、背景画像以外の部分のＮ分の１のデータ量を取得する。そして、フレーム画像の背景画像以外の部分をこのデータ量と略同一のデータ量の領域となるようにＮ個の領域に分割する。例えば、フレーム画像の背景画像以外の画像の画素を含む各ラインについて、上から順（あるいは下から順）に背景画像以外の画素のデータ量（あるいは画素数）を取得して、ライン単位で取得したデータ量を加算していく。そして、加算したデータ量（あるいは画素数）が、背景画像以外の部分のデータ量のＮ分の１と同一または超えた場合に、その画素列まで（あるいはその画素列の前の画素列まで）のフレーム画像（ただし、背景画像を除いたもの）を一つの領域として分割して分割フレーム画像を得る。更に残りの領域についても同様にして上から順（あるいは下から順）に各ラインのデータ量を加算していくことで、フレーム画像の背景画像を除いた部分を、複数の領域に分割する。なお、分割されてＮ−１番目の領域の次の領域として残ったに領域については、Ｎ分の１のデータ量が含まれるか否かに関わらず、その領域をＮ番目の領域として取得するようにすればよい。このような処理により、フレーム画像をＮ個の領域に分割した場合、フレーム画像をデータ量が略同一となるようＮ個の領域に分割したと考えて良い。なお、ここでは、ライン単位で領域に分割したが、画素数をカウントしていくことで、画素単位で領域に分割しても良い。その後は、上記と同様に、分割により得られた分割フレーム画像を用いて、分割動画像を取得する。
【００５４】
なお、上記においては、ライン単位で領域を分割する処理等を行うようにしたが、ラインの代わりに、フレーム画像を構成する画素のｙ軸に平行な列ごとに、上記と同様の処理を行うようにしてもよい。ただし、この場合は、例えば、フレーム画像の上辺または下辺の少なくとも一方に接する背景色を有する画素等を背景画像に定義する必要がある。
【００５５】
なお、各フレーム画像の背景画像を除いた部分をデータ量が略同一となるようＮ個の領域に分割してＮ個の分割動画像を構成する場合において、背景画像が単色、もしくはｙ軸方向やｘ軸方向に同じ色の画素が連続する画像である場合等においては、背景画像を残したまま、分割フレーム画像を取得して、分割動画像を生成しても良い。矩形の動画像となる。ただし、分割動画像を生成する際には、連続した同色の画素のデータ量が削減可能な圧縮を行う必要がある。この圧縮はフレーム間圧縮でもフレーム内圧縮でも良い。
【００５６】
なお、背景画像の情報、例えば背景色の情報等は、再生時に必要となるため、分割動画像の１以上に付与しておくようにしても良いし、予め動画像再生装置２の図示しない記憶媒体等に蓄積しておくようにしてもよい。
【００５７】
分割動画像取得部１０４は、通常、ＭＰＵやメモリ等から実現され得る。分割動画像取得部１０４の処理手順は、通常、ソフトウェアで実現され、当該ソフトウェアはＲＯＭ等の記録媒体に記録されている。但し、ハードウェア（専用回路）で実現しても良い。
【００５８】
出力部１０５は、分割動画像取得部１０４が取得したＮ個の分割動画像を出力する。例えば、出力部１０５は、Ｎ個の分割動画像を、異なるＮ個の格納部にそれぞれ蓄積する。例えば、出力部１０５は、分割動画像取得部１０４が取得したＮ個の分割動画像を、動画像再生装置２のＮ個の分割動画像格納部２０１に個別に蓄積する。ただし、出力部１０５は、Ｎ個の分割動画像を、格納部を備えた図示しない外部の格納装置やサーバ装置等に蓄積するようにしてもよい。なお、出力部１０５がＮ個の分割動画像を例えば一の格納部等に蓄積し、一旦、蓄積されたＮ個の分割動画像が、動画像再生装置２の図示しない読出部等により、動画像再生装置２のＮ個の分割動画像格納部２０１に個別に読み出されて蓄積されるようにしても良い。ここで述べる出力とは、外部の装置への送信、記録媒体への蓄積、他の処理装置や他のプログラムなどへの処理結果の引渡しなどを含む概念である。
【００５９】
出力部１０５は、送信装置等の出力デバイスを含むと考えても含まないと考えても良い。出力部１０５は、出力デバイスのドライバーソフトまたは、出力デバイスのドライバーソフトと出力デバイス等で実現され得る。
【００６０】
動画像再生装置２は、例えば、動画像処理装置１で処理された動画像を出力するための装置である。
【００６１】
Ｎ個の分割動画像格納部２０１には、一の動画像を構成する各フレーム画像を、Ｎ個の領域に分割して得られた分割フレーム画像でそれぞれ構成される動画像であるＮ個の分割動画像が個別に格納される。例えば、上述した出力部１０５が出力したＮ個の分割動画像が個別に格納される。各分割動画像格納部２０１に分割動画像が格納される過程等は問わない。分割動画像格納部２０１は、不揮発性の記録媒体が好適であるが、揮発性の記録媒体でも実現可能である。分割動画像格納部２０１は、ハードディスク等の一般的に普及している記録媒体を用いることがコスト面からみて好ましい。
【００６２】
なお、本実施の形態においてはＮの値は、分割動画像のデータサイズと、各分割動画像格納部２０１のデータ読み出し速度等で決定される。例えば、分割動画像格納部２０１に格納される分割動画像から予め指定された時間内に読み出される分割フレーム画像のスピードが、最終的なフレーム画像を再生するスピードよりも早くなるよう、分割動画像格納部２０１のアクセス速度を考慮して分割動画像格納部２０１の数、即ちＮの値が決定される。結合する速度も考慮するならば、読み出し速度が、再生速度よりも十分に早くなるように分割動画像格納部２０１の数、即ちＮの値を決定することが好ましい。
【００６３】
結合処理部２０２は、Ｎ個の分割動画像格納部２０１のそれぞれから分割動画像を構成する分割フレーム画像を読み出す。そして、結合処理部２０２は、読み出した分割フレーム画像を結合して、時系列に沿った結合済のフレーム画像を取得する。各分割動画像格納部２０１からの分割フレーム画像の読み出しは、１フレーム単位であっても複数フレーム単位であっても良い。結合処理部２０２は、分割フレーム画像の再生順番に応じて、分割フレーム画像を読み出す。結合処理部２０２は、各フレーム画像の表示が間に合うように、分割フレーム画像を読み出す。結合処理部２０２は、例えば、同じフレームから取得された分割フレーム画像が同じタイミングで読み出されるように、分割動画像内における分割フレーム画像の配列順番や、分割フレーム画像に対応付けられた再生順番を示す情報（例えば、順番を示す番号やタイムコード等）を用いて、各分割動画像格納部２０１から分割フレーム画像を読み出す。ただし、フレーム画像の表示が間に合う範囲であれば、分割フレーム画像の読み出しには多少のずれが生じても良い。
【００６４】
結合処理部２０２は、再生順番通りに各分割フレーム画像を読み出すことが好ましいが、読み出される分割フレーム画像の順番は、分割フレーム画像同士を結合する際等に再生順番に合わせて並べ替えることが可能であるため、再生に遅れが生じない範囲で、再生順番に対して多少前後しても良い。また、分割フレーム画像がグループ化されている場合はグループ単位で読み出しても良い。結合処理部２０２は、例えば、Ｎ個の分割動画像格納部２０１のそれぞれからの分割フレーム画像の読み出しを並列処理することが好ましい。結合処理部２０２は、例えば、並列処理可能な複数のＭＰＵや、複数のコアを備えたＭＰＵ等を備えており、このようなＭＰＵ等を用いて、読み出しを並列処理する。ただし、タイムシェアリングを行って読み出しても良い。
【００６５】
結合処理部２０２は、一のフレーム画像から得られた分割フレーム画像同士を結合する。結合処理部２０２は、Ｎ個の分割動画像格納部２０１からそれぞれ読み出した同じ出力順番と対応付けられた分割フレーム画像同士を結合して時系列に沿ったフレーム画像を取得する。結合する際には、各分割フレーム画像が分割前の元の位置に配置されるようにする。結合処理部２０２は、例えば、Ｎ個の各分割動画像格納部２０１からそれぞれ読み出した同じ出力順番の分割フレーム画像を、それぞれの分割フレーム画像に対応付けられた分割フレーム画像の配置される位置を示す位置情報（例えば座標）が示す位置に配置して、結合済のフレーム画像を取得する。また、各分割フレーム画像に対応付けられた各分割フレーム画像の配列順番を示す情報が示す順番に沿って分割フレーム画像をそれぞれ配置することで、分割フレーム画像を結合しても良い。また、各分割フレーム画像に対応付けられた識別情報が示す領域に分割フレーム画像をそれぞれ配置することで、分割フレーム画像を結合しても良い。
【００６６】
なお、分割フレーム画像が、背景画像を除いたフレーム画像を分割した画像である場合、結合処理部２０２は、例えば、分割フレーム画像を結合する際やその前後に、分割フレーム画像または結合されたフレーム画像の背景画像であった領域を、背景画像で充填する。例えば、背景画像が予め指定された背景色であった場合、この背景色で背景画像であった領域を埋め込む。なお、このような埋め込みに用いられる背景色等の背景画像の情報は、予め動画像再生装置２の図示しない記憶媒体等に蓄積されていても良いし、分割動画像の少なくとも一つに格納されていても良く、この情報を充填時に結合処理部２０２が読み出すようにすればよい。
【００６７】
また、上記の一例において説明したように、フレーム画像から背景画像を除いた画像を、ライン単位で分割して読み出した画像で各分割フレーム画像が構成されている場合には、例えば、上述したように分割フレーム画像等に格納されているライン単位で読み出された画像が配置される位置を示す情報（例えば座標）を、結合処理部２０２が読み出して、この情報が示す分割フレーム画像内の位置に、ライン単位で読み出した画像を配置することで分割フレーム画像ごとに結合用の画像を生成して、これを結合してフレーム画像を生成するようにしても良い。あるいは、直接ライン単位で読み出した画像を、上記の位置を示す情報が示すフレーム画像内の位置に配置して結合済のフレーム画像を生成しても良い。また、この場合、背景画像を充填する処理は、どのタイミングで行っても良い。
【００６８】
結合処理部２０２は、通常、ＭＰＵやメモリ等から実現され得る。結合処理部２０２の処理手順は、通常、ソフトウェアで実現され、当該ソフトウェアはＲＯＭ等の記録媒体に記録されている。但し、ハードウェア（専用回路）で実現しても良い。
【００６９】
なお、以下に、結合処理部２０２が、一例として、結合格納部２０２１と処理部２０２２とを備えている場合について説明する。
【００７０】
結合用格納部２０２１は、分割動画像格納部２０１よりも高速にアクセス可能な記録媒体である。高速にアクセス可能とは高速な読み出し書き込みが可能であることを意味する。例えば、分割動画像格納部２０１がハードディスクであったとすると、結合用格納部２０２１は、ＲＡＭやキャッシュである。結合用格納部２０２１には、例えば、結合処理部２０２が分割動画像格納部２０１から読み出した分割動画像を構成する分割フレーム画像が一時記憶される。また、例えば、分割フレーム画像を結合する処理の途中のフレーム画像等や、結合済のフレーム画像が一時記憶されてもよい。なお、結合用格納部２０２１は、物理的に異なる格納部であっても良く、例えば、分割フレーム画像が一時記憶や、結合されたフレームの一時記憶等の用途別に、物理的に異なる格納部が用いられても良い。結合用格納部２０２１は、後述する処理部２０２２が処理に用いるバッファ等と考えても良い。結合用格納部２０２１は、揮発性の記録媒体が好適であるが、不揮発性の記録媒体でも実現可能である。
【００７１】
処理部２０２２は、Ｎ個の分割動画像格納部２０１のそれぞれから分割動画像を構成する分割フレーム画像を読み出す。読み出す処理は、例えば、上述したように並列処理で行われる。読み出した分割フレーム画像は、結合用格納部２０２１に一時記憶される。そして、処理部２０２２は、読み出した分割フレーム画像を結合して、時系列に沿った結合済のフレーム画像を取得する。処理部２０２２は、取得したフレーム画像を結合用格納部２０２１に再生順に一時記録する。なお、処理部２０２２が行う分割フレーム画像を読み出したり、分割フレーム画像を結合したりする処理の詳細等は、上述した結合処理部２０２で説明した処理と同様であるため詳細な説明は省略する。処理部２０２２は、例えば、ＭＰＵやメモリ等から実現され得る。処理部２０２２は、Ｎ個以上のＭＰＵやＮ個以上のプロセッサコアを有するいわゆるマルチコアのＭＰＵであることが好ましい。処理部２０２２の処理手順は、通常、ソフトウェアで実現され、当該ソフトウェアはＲＯＭ等の記録媒体に記録されている。但し、ハードウェア（専用回路）で実現しても良い。
【００７２】
動画像表示部２０３は、結合処理部２０２が取得した結合済のフレーム画像を時系列に沿って順次表示する。例えば、処理部２０２２が結合用格納部２０２１に一時記憶した結合済のフレーム画像を、再生順番に沿って読み出して表示する。動画像表示部２０３は、ディスプレイデバイスを含むと考えても含まないと考えても良い。動画像表示部２０３は、ディスプレイデバイスのドライバーソフトまたは、ディスプレイデバイスのドライバーソフトとディスプレイデバイス等で実現され得る。
【００７３】
図２は動画像処理装置１の動作を説明するためのフローチャートである。以下、図２を用いて動作を説明する。
【００７４】
（ステップＳ２０１）フレーム画像取得部１０２は、動画像格納部１０１に格納されている一の動画像を構成するフレーム画像を取得する。例えば、動画像を構成する複数のフレーム画像をそれぞれ、個別の画像データのファイルとして取得する。フレーム画像の各ファイルのファイル名には、例えば、フレーム画像の再生順番を示す情報として、連続した番号等を含めるようにする。そして、取得したフレーム画像を、フレーム画像格納部１０３に蓄積する。
【００７５】
（ステップＳ２０２）分割動画像取得部１０４は、カウンターｓに１を代入する。
【００７６】
（ステップＳ２０３）分割動画像取得部１０４は、フレーム画像格納部１０３に、再生順番がｓ番目のフレーム画像が格納されているか否かを判断する。格納されていればステップＳ２０４に進み、格納されていなければステップＳ２２５に進む。
【００７７】
（ステップＳ２０４）分割動画像取得部１０４は、ｓ番目のフレーム画像を、フレーム画像格納部１０３から読み出す。
【００７８】
（ステップＳ２０５）分割動画像取得部１０４は、カウンターｔに１を代入する。
【００７９】
（ステップＳ２０６）分割動画像取得部１０４は、ステップＳ２０４で読み出したｓ番目のフレーム画像にｔ番目のライン（ｘ軸に平行な画素の配列）があるか否かを判断する。なお、ここでは、フレーム画像の一番上のラインを１番目のラインとし、その後ラインが一つ下がるごとにラインの番号が１増加するものとする。ｔ番目のラインがあればステップＳ２０７に進み、なければステップＳ２１２に進む。
【００８０】
（ステップＳ２０７）分割動画像取得部１０４は、ｔ番目のラインの両端からそれぞれ内側に向かって、背景画像の画素以外の画素の検出を行う。例えば、両端の画素から内側に向かって順番に画素を移動させながら、その画素が、予め指定されている背景色以外の画素であるか否かの判断を行っていく。そして、それぞれの側においては、背景画素以外の画素が検出された時点で、判断を終了する。両側から判断していった結果、判断対象となる画素が重複し、なおかつ、背景が外一致する画素が検出されなかった時点で、背景色以外の画素が検出されなかったことを判断する。
【００８１】
（ステップＳ２０８）分割動画像取得部１０４は、ステップＳ２０７において、ｔ番目のラインに背景画像以外の画素が検出できたか否かを判断する。検出できたらステップＳ２０９に進み、検出できなかったらステップＳ２１１に進む。
【００８２】
（ステップＳ２０９）分割動画像取得部１０４は、ステップＳ２０７でｔ番目のラインについて検出した背景画像以外の画素の座標、即ち、ｔ番目のラインに含まれる背景画像以外の画素の並びの両端の座標を取得する。取得した座標は、例えばラインの順番を示すｔの値等と対応付けて図示しない記憶媒体等に一時記憶する。
【００８３】
（ステップＳ２１０）分割動画像取得部１０４は、ステップＳ２０７でｔ番目のラインについて検出した背景画像を除いた部分の画素の画素数を取得する。例えば、画素数は、ステップＳ２０９で取得した座標等から算出しても良いし、実際の画素をカウントしても良い。画素数を、例えば、ラインの順番を示すｔの値等や、ｔ番目のラインに含まれる背景画像を除いた部分以外の画素の並びの両端の座標等と対応付けて、図示しない記憶媒体等に一時記憶する。
【００８４】
（ステップＳ２１１）分割動画像取得部１０４は、カウンターｔの値を１インクリメントする。そして、ステップＳ２０６に戻る。
【００８５】
（ステップＳ２１２）分割動画像取得部１０４は、ｓ番目のフレーム画像についてステップＳ２１０で取得した各ラインの背景画像を除いた部分の画素の画素数を加算して、ｓ番目のフレーム内の背景画像を除いた部分の画素の総画素数を算出する。そして、この総画素数を予め指定されているＮで除算して、総画素数／Ｎの値を算出する。Ｎは、例えば、動画像再生装置２の分割動画像格納部２０１の数である。
【００８６】
（ステップＳ２１３）分割動画像取得部１０４は、カウンターｒとカウンターｕにそれぞれ１を代入する。
【００８７】
（ステップＳ２１４）分割動画像取得部１０４は、ｒの値を分割動画像を取得するための最初のラインを示す値として、図示しない記憶媒体等に蓄積する。既に蓄積されている場合は、新たなｒの値で、蓄積されている値を更新する。
【００８８】
（ステップＳ２１５）分割動画像取得部１０４は、背景画像を除いた部分の画素を１以上含むラインのうちの上からｒ番目のラインに含まれる背景画像以外の画素の値を累積加算する。例えば、ステップＳ２１０でラインの番号と対応付けて蓄積された背景画像を除いた部分の画素数の値の中から、ラインの番号が小さいものから数えてｒ番目のラインに対応付けて蓄積されている画素数を取得して直前までに加算された画素数に対して加算する。なお、直前までに加算された値がない場合は、例えば、取得した画素数をそのまま蓄積する。
【００８９】
（ステップＳ２１６）分割動画像取得部１０４は、ステップＳ２１５で累積加算した値が、ステップＳ２１２で算出した総画素数／Ｎの値以上であるか否かを判断する。値以上であれば、ステップＳ２１８に進み、値より小さければステップＳ２１７に進む。
【００９０】
（ステップＳ２１７）分割動画像取得部１０４は、カウンターｒの値を１インクリメントする。そして、ステップＳ２１５に戻る。
【００９１】
（ステップＳ２１８）分割動画像取得部１０４は、背景画像を除いた部分の画素を１以上含むラインのうちの、ステップＳ２１４で蓄積した最初のラインを示す値が示す順番のラインから、ｒ番目のラインまでの各ラインに含まれる背景画像を除いた画素を、各ラインごとに取得することにより、再生順番がｓ番目であるフレーム画像のｕ番目の領域の分割フレーム画像を取得する。この分割フレーム画像は、再生順番がｓ番目の分割フレーム画像である。取得した分割フレーム画像は図示しない記憶媒体等に一時記憶する。なお、各ライン別に取得した背景画像を除いた画素については、例えば、取得した画素の一端の座標等をステップＳ２０９等で取得した座標等から取得する。そして、これを、各ラインから取得した画素が配置される位置を示す情報として各ラインから取得した画素に対応付けて蓄積する。
【００９２】
（ステップＳ２１９）分割動画像取得部１０４は、カウンターｕの値を１インクリメントする。
【００９３】
（ステップＳ２２０）分割動画像取得部１０４は、カウンターｕの値が、Ｎであるか否かを判断する。ＮであればステップＳ２２１に進み、ＮでなければステップＳ２２３に進む。
【００９４】
（ステップＳ２２１）分割動画像取得部１０４は、ｒ＋１以降のラインの背景画像を除いた画素を、各ラインごとに取得することにより、再生順番がｓ番目であるフレーム画像のＮ番目の領域の分割フレーム画像を取得する。取得した分割フレーム画像は図示しない記憶媒体等に一時記憶する。
【００９５】
（ステップＳ２２２）分割動画像取得部１０４は、カウンターｓの値を１インクリメントする。そしてステップＳ２０３に戻る。
【００９６】
（ステップＳ２２３）分割動画像取得部１０４は、ステップＳ２１５で累積加算した画素数を０にリセットする。
【００９７】
（ステップＳ２２４）分割動画像取得部１０４は、カウンターｒの値を１インクリメントする。そして、ステップＳ２１４に戻る。
【００９８】
（ステップＳ２２５）分割動画像取得部１０４は、カウンターｕに１を代入する。
【００９９】
（ステップＳ２２６）分割動画像取得部１０４は、カウンターｕの値がＮより大きいか否かを判断する。Ｎより大きければ処理を終了し、大きくなければステップＳ２２７に進む。
【０１００】
（ステップＳ２２７）分割動画像取得部１０４は、ステップＳ２１８またはステップＳ２２１で取得したｕ番目の領域から取得した分割フレーム画像を用いてｕ番目の分割フレーム画像を取得する。例えば、ｕ番目の領域から取得したフレーム画像を、再生順番に沿うよう配列して蓄積することでｕ番目の分割フレーム画像を取得する。なお、分割動画像を構成する各分割フレーム画像に含まれる各ライン単位で取得された画素群については、例えば、上述したようなこの画素群が配置される位置を示す情報を対応付けて蓄積する。
【０１０１】
（ステップＳ２２８）出力部１０５は、ｕ番目の分割フレーム画像を、ｕ番目の分割動画像格納部２０１に蓄積する。
【０１０２】
（ステップＳ２２９）分割動画像取得部１０４は、カウンターｕの値を１インクリメントする。そして、ステップＳ２２６に戻る。
【０１０３】
図３は動画像再生装置２の動作を説明するためのフローチャートである。以下、図３を用いて動作を説明する。
【０１０４】
（ステップＳ３０１）処理部２０２２は、カウンターｊに１を代入する。
【０１０５】
（ステップＳ３０２）処理部２０２２は、１番目からＮ番目までの分割動画像格納部２０１に格納されている分割動画像から、それぞれｊ番目の再生順番の分割フレーム画像を読み出す。この読み出しは並列処理されることが好ましい。
【０１０６】
（ステップＳ３０３）処理部２０２２は、ステップＳ３０２で読み出した各分割フレーム画像を、結合用格納部２０２１に一時記憶する。
【０１０７】
（ステップＳ３０４）処理部２０２２は、結合用格納部２０２１に一時記憶されたｊ番目の再生順番の１番目からＮ番目までの分割動画像から取得された分割フレーム画像を結合する。例えば、各分割動画像に含まれる背景画像を除いた各ラインの画素群を、この各ラインの画素群が配置される位置を示す情報が示す位置に順次配置していくことで、分割動画像を結合する。各ラインの画素が配置される位置を示す情報は、上述したように、例えば、分割フレーム画像の各ラインの画素群に対応付けて格納されており、これを読み出せばよい。
【０１０８】
（ステップＳ３０５）処理部２０２２は、ステップＳ３０４で結合した分割フレーム画像の背景画像が除かれていた領域を、背景画像で埋める。例えば予め指定された背景色の画素で埋める。これにより、結合済のフレーム画像を取得することができる。背景色や背景画像等は、予め動画像再生装置２の図示しない記憶媒体等に蓄積されていても良いし、分割動画像格納部２０１のいずれかに、分割動画像等対応付けて格納しておくようにしても良い。
【０１０９】
（ステップＳ３０６）処理部２０２２は、ステップＳ３０５で取得した結合済のフレーム画像を、再生順番に沿って、結合用格納部２０２１に蓄積する。
【０１１０】
（ステップＳ３０７）動画像表示部２０３は、フレーム画像を表示するタイミングであるか否かを判断する。タイミングであればステップＳ３０８に進み、タイミングでなければステップＳ３０９に進む。
【０１１１】
（ステップＳ３０８）動画像表示部２０３は、結合用格納部２０２１に格納されている結合済のフレーム画像の中から再生順番（配置順番）に従って、現在表示されているフレーム画像の次のフレーム画像を読み出して、表示する。なお、フレーム画像が現在表示されていない場合、最初の再生順番のフレーム画像を読み出して表示する。そして、ステップＳ３０９に進む。なお、ステップＳ３０７とステップＳ３０８の処理は、他の処理と並列に行われるようにしても良い。また、他のステップ間に、ステップＳ３０７とステップＳ３０８の処理と同様の処理を追加するようにしても良い。
【０１１２】
（ステップＳ３０９）処理部２０２２は、カウンターｊの値を１インクリメントする。
【０１１３】
（ステップＳ３１０）処理部２０２２は、分割動画像格納部２０１に格納されている分割動画像に、ｊ番目のフレーム画像があるか否かを判断する。ある場合、ステップＳ３０２に戻り、ない場合、ステップＳ３１１に進む。
【０１１４】
（ステップＳ３１１）動画像表示部２０３は、フレーム画像を表示するタイミングであるか否かを判断する。タイミングであればステップＳ３１２に進み、タイミングでなければステップＳ３１１に戻る。
【０１１５】
（ステップＳ３１２）動画像表示部２０３は、表示する結合済のフレーム画像が、結合用格納部２０２１に格納されているか否かを判断する。格納されている場合、ステップＳ３１３に進み、格納されていない場合、処理を終了する。
【０１１６】
（ステップＳ３１３）動画像表示部２０３は、結合用格納部２０２１に格納されている結合済のフレーム画像の中から再生順番（配置順番）に従って、現在表示されているフレーム画像の次のフレーム画像を読み出して、表示する。そして、ステップＳ３１１に戻る。
【０１１７】
以下、本実施の形態における動画像再生システム１０００の具体的な動作について説明する。動画像再生システム１０００の概念図は図４である。ここでは、動画像再生装置２は、４つの分割動画像格納部２０１を有しているものとする。ここでは、４つの分割動画像格納部２０１を、第一分割動画像格納部２０１−１〜第四分割動画像格納部２０１−４と呼ぶ。また、動画像格納部２０１に格納されている動画像は、画素数が１９２０×１０８０ピクセル、ビット深度が２４ビット、フレームレートが６０ｆｐｓである非圧縮の動画像であるとする。なお、この具体例においては、動画像処理装置１と、動画像再生装置２とを異なる装置としている場合を例に挙げて説明しているが、本発明においては、動画像処理装置１と、動画像再生装置２とを同一の装置で実現してもよい。
【０１１８】
図５は、動画像の一例を示す模式図である。この動画像は、例えば、ＣＡＥで作成された動画像であるとする。動画像格納部１０１に格納されている動画像は、図５に示すように複数の連続したフレーム画像で構成されている。各フレーム画像には、フレームの再生順番を示す情報であるタイムコードが対応づけられている。タイムコードは、ここでは、「分．秒．フレーム」で表されている。例えば、「０１．２３．２３」が対応づけられたフレーム画像は、動画像の最初から、１分２３秒経過後の２３フレーム目に表示されるフレーム画像であることを示している。なお、図において、斜線部分は、予め指定された背景色と一致する部分であるとする。
【０１１９】
例えば、動画像処理装置１が、ユーザ等から分割動画像を生成する指示を受け付けると、まず、フレーム画像取得部１０２は、図５に示した動画像から、この動画像を構成するフレーム画像を取得する。具体的には、動画像を構成するフレーム画像を、静止画像である個別のフレーム画像のファイルとして切り出して、フレーム画像格納部１０３に蓄積する。ここでは、フレーム画像のファイルのファイル名として、切り出し前のフレーム画像に対応づけられているタイムコードの値を付与するものとする。なお、動画像を構成するフレーム画像を、静止画像として切り出す処理は、公知技術であるので、ここでは説明を省略する。
【０１２０】
図６は、フレーム画像取得部１０２が動画像から切り出してフレーム画像格納部１０３に蓄積したフレーム画像のファイルを示す模式図である。各フレーム画像のファイルの下には、タイムコードで構成されたファイル名を示している。ただし、フレーム画像格納部１０３に格納される各フレーム画像は、ファイルの形式を取っている必要はなく、メモリに読み出された状態のデータであっても良い。
【０１２１】
次に、分割動画像取得部１０４は、各フレーム画像から分割フレーム画像を取得する。
【０１２２】
図７は、分割フレーム画像の処理を説明するための、簡略化したフレーム画像を示す図である。図において、マトリクス上に区切られた領域がフレーム画像を構成する画素であるとする。また、斜線で示す画素は、ユーザ等により予め指定された背景色と一致する色の画素であるとし、白色の画素が、背景色をのぞいた画素であるとする。ここでは説明の便宜上、図７に示すような、フレーム画像格納部１０３に格納されているフレーム画像よりも画素数を大幅に減らした簡略化したフレーム画像を用いて、分割フレーム画像を取得する処理について説明する。
【０１２３】
まず、分割動画像取得部１０４は、図７に示したフレーム画像の上から１番目のラインであるライン１７０の画素について、両端から内側に向かって、予め指定された背景色と一致しない最初の画素を検出する処理を行う。例えば、両側から内側に向かって順番に各画素の色の情報（例えばＲＧＢ値）等を取得して、取得した色の情報が背景色の色の情報と一致するか否かを判断していき、一致しないと判断された画素を、背景画像ではない画像の画素として検出する。なお、必ずしも両側から同時に画素の検出処理を行う必要はなく、一方の端からの検出が終了後に、他方の端からの検出を行うようにしてもよい。ここでは、上述したように背景色と一致する画素は、斜線で示した画素であるとすると、ライン１７０について両側から内側に向かって背景色と一致しない画素を検出した場合、一致しない画素が検出されなかったとする。
【０１２４】
次に、上からの２番目のライン１７１の画素についても、上記と同様の検出処理を行うが、ライン１７２と同様に、背景色と一致しない画素は検出されなかったとする。
【０１２５】
次に、上から３番目のライン１７２の画素について、上記と同様の検出処理を行うと、画素１７２ａと画素１７２ｂが背景色と一致しない画素として検出される。このため、分割動画像取得部１０４は、この画素１７２ａの座標および画素１７２ｂの座標を、それぞれ上から３番目のラインの背景画像を除いた部分の左端の座標および右端の座標として取得し、３番目のラインと対応付けて図示しない記憶媒体等に一時記憶する。また、取得した右側の座標から左側の座標を減算して１加えた値を、３番目のラインの背景画像を除いた部分の画素数として取得する。そして、この画素数の情報も、３番目のラインと対応付けて一時記憶する。
【０１２６】
更に、４番目のライン以降の全てのラインについても、同様の処理を繰り返す。
【０１２７】
図８は、分割動画像取得部１０４が各ラインについて取得した背景画像を除いた部分の左端の座標と右端の座標と画素数とを管理する画素数管理情報である。画素数管理表において、「ライン番号」は、ラインを識別するための情報であり、ここでは、フレーム画像の上から数えたラインの番号である。「左座標」、「右座標」、および「画素数」は、それぞれ、分割動画像取得部１０４が各ラインについて取得した背景画像を除いた部分の左端の座標、右端の座標、および画素数を示す。
【０１２８】
分割動画像取得部１０４は、フレーム画像内の背景画像を除いた部分の画素を有するラインの、背景画像を除いた部分の画素数の合計を算出する。具体的には、図８に示した画素数管理表の「画素数」の値の合計を算出する。算出により得られた値は、「６０」であったとする。分割動画像取得部１０４は、この画素数の合計を、予め指定された分割数を示すＮの値で除算する。Ｎの値は、ここでは、動画像再生装置２の分割動画像格納部２０１の数である「４」とする。Ｎの値は、動画像再生装置２の分割動画像格納部２０１の数の値を自動取得しても良い。そして、Ｎの値「４」で画素数の合計「６０」を除算して、値「１５」を得る。
【０１２９】
分割動画像取得部１０４は、この値を用いて、フレーム画像から分割フレーム画像を取得する。なお、ここでは、ｘ軸に平行に、フレーム画像をＮ（＝４）分割するものとし、全てのフレーム画像からそれぞれ得られた分割フレーム画像のうちの、１番上の分割フレーム画像を、第一分割フレーム画像とする。同様に、上から２番目、３番目、４番目の分割フレーム画像を、第二分割フレーム画像、第三分割フレーム画像、第四分割フレーム画像と呼ぶ。
【０１３０】
分割動画像取得部１０４は、まず、フレーム画像内の背景画像を除いた部分の画素を有するラインのうちの１番上のラインである「ライン番号」が「３」のラインの画素数「２」を図８に示した画素数管理情報から取得し、上記で取得した画素数の合計をＮで除算した値「１５」以上であるか否かを判断する。ここでは、値「１５」以上でないため、さらにフレーム画像内の背景画像を除いた部分の画素を有するラインのうちの上から２番のラインである「ライン番号」が「４」のラインの画素数「３」を取得し、これを先に取得した画素数に累積加算して、「５」を取得する。そして、この値が上記で取得した値「１５」以上であるか否かを判断する。ここでは、「１５」以上でないため、次のラインである「ライン番号」が「５」であるラインの画素数「５」を取得して、累積加算して、画素数「１０」を取得する。この値も上記の値「１５」以上でないため、次のラインである「ライン番号」が「６」であるラインの画素数「６」を取得して、累積加算して、画素数「１６」を取得する。この値は、上記の値「１５」以上であるため、分割動画像取得部１０４は、「ライン番号」が「３」であるラインから、「ライン番号」が「６」であるラインまでの各ラインから、背景画像を除いた部分の画像情報を読み出すことで、第一分割フレーム画像を取得する。ここでは、これらの各ラインの上から順に、それぞれ図８の画素数管理情報に示した「左座標」が示す座標を開始位置、「右座標」が示す座標を終了位置として、連続した画像（画素群）を読み出していく。また、ここでは例として各ラインの「左座標」の値も、各ラインから読み出した画像の配置される位置を示す位置情報として取得する。また、元のフレーム画像の再生順番を示す情報（ここでは、フレーム画像のファイル名等）も、第一分割フレーム画像の再生順番を示す情報として取得する。この再生順番を示す情報は上述したようにタイムコードである。そして、取得した情報を、第一分割フレーム情報として図示しない記憶媒体等に一時記憶する。なお、ここでは、一例として、これらの情報を取得順に結合した情報を第一分割フレーム画像として一時記憶している。
【０１３１】
次に、分割動画像取得部１０４は、上記で取得されたラインの次のライン、即ち「ライン番号」が「７」以降のラインについて、上記と同様の処理を行う。ここでは、「ライン番号」が「７」と「８」のラインから取得した背景画像を除いた部分の画素の合計が「１６」であり、上述した値「１５」以上となるため、「ライン番号」が「７」と「８」のラインから背景画像を除いた部分の画像を読み出して、第二分割フレーム画像を取得する。
【０１３２】
同様に分割動画像取得部１０４は、「ライン番号」が「９」と「１０」のラインから背景画像を除いた部分の画像を読み出して、第三分割フレーム画像を取得する。
【０１３３】
第四分割フレーム画像については、最後の分割フレーム画像であるため、上記のような総画素数をＮで除算した値を用いる処理を行わずに、読み出されずに残ったラインから背景画像を除いた部分の画像を読み出して、第四分割フレーム画像を取得する。なお、このようにしてライン単位で分割フレーム画像を取得する場合、他の分割フレーム画像を取得する際の画素数の誤差が累積される結果、フレーム画像によっては、最後の分割フレーム画像である第四分割フレーム画像の画素数が他の分割フレーム画像に対して大きく異なる場合もありうるが、このようにして得られる各分割フレーム画像同士の画素数を、略同一であると考えてもよい。ただし、実際は、フレーム画像を構成するライン数に対し、フレーム画像の分割数Ｎの値が十分小さければ、このような大きなばらつきは生じないことが多いと考えられる。
【０１３４】
図９は、分割動画像取得部１０４が、図７に示したフレーム画像から取得した分割フレーム画像を模式的に示した図である。分割フレーム画像７１〜７４は、第一〜第四分割フレーム画像を示している。ここでは、各分割フレーム画像７１〜７４は各ラインから取得した情報等を、一列に配列して結合した情報である場合を例に挙げて示している。再生順番情報７０は、フレーム画像から取得した再生順番を示す情報である。第一分割フレーム画像７１においては、例えば、画像７１１〜７１４は、「ライン番号」が「３」から「６」までのラインからそれぞれ取得された画像を示す。また、位置情報７１１１〜７１１４は、各ラインから取得された画像の左端の座標を含む情報である。また、第二分割フレーム画像７２においても、例えば、画像７２１〜７２２は、「ライン番号」が「７」から「８」までのラインからそれぞれ取得された画像を示す。また、位置情報７２１１〜７２１２は、各ラインから取得された画像の左端の座標を含む情報である。第二分割フレーム画像７３、７４等においても同様である。なお、分割フレーム画像は、上記のようにラインから取得された画像等が一列に結合された情報でなくても良く、実際はどのようなデータ構造のデータであっても良い。また、各ラインから取得された画像情報の配置を示す情報や、再生順番を示す情報等は、どのように各ラインから取得された画像情報と対応付けて管理されていても良い。
【０１３５】
分割動画像取得部１０４は、上記のような分割フレーム画像を取得する処理を、フレーム画像格納部１０３に格納されているフレーム画像についてそれぞれ行う。処理を行う順番は、フレーム画像の再生順番が早いものから順番に行うことが好ましい。
【０１３６】
そして、複数のフレーム画像からそれぞれ取得した第一分割フレーム画像同士、第二分割フレーム画像同士、第三分割フレーム画像同士、および第四分割フレーム画像同士を、それぞれ再生順番に従って結合して、四つの分割動画像を取得する。ここでは、第一〜第四分割フレーム画像同士をそれぞれ結合して得られた分割動画像を、それぞれ、第一〜第四分割動画像と呼ぶ。
【０１３７】
図１０は、上記のような分割フレーム画像を取得する処理によって分割される元の各フレーム画像内のＮ個の領域を模式的に示す図である。図において、点線で示した部分が、Ｎ個に分割された領域である。また、斜線で示している部分は、背景画像として検出された部分である。
【０１３８】
図１０に示すように、分割動画像取得部１０４は、各フレーム画像から背景画像を除いた部分を画素数によって略等分して分割フレーム画像を取得するため、背景画像を除いたものの位置や大きさや形状等によって、フレーム画像ごとに分割されるライン（行）が異なる。
【０１３９】
図１１は、図１０に示すような分割フレーム画像を結合して取得された第一分割動画像〜第四分割動画像１２１〜１２４を模式的に示す図である。ただし、この図１１において斜線で示す部分は、背景画像が除去された領域を示すものとする。
【０１４０】
図１２は、各ラインから取得された画像情報を結合して得られた図９に示すような分割フレーム画像を、フレーム画像の再生順番に従って結合して得られた第一分割動画像〜第四分割動画像１２１〜１２４を示す図である。第一分割動画像１２１は、各フレーム画像から取得された複数の第一分割フレーム画像１２１ａ〜１２１ｄ等から構成されている。第二分割動画像１２２は、各フレーム画像から取得された複数の第二分割フレーム画像１２２ａ〜１２２ｄ等から構成されている。第三分割動画像１２３は、各フレーム画像から取得された複数の第三分割フレーム画像１２３ａ〜１２３ｄ等から構成されている。第四分割動画像１２４は、各フレーム画像から取得された複数の第四分割フレーム画像１２４ａ〜１２４ｄ等から構成されている。なお、図１２において、各分割フレーム画像内の位置情報の図示は省略している。
【０１４１】
分割動画像取得部１０４は、分割された画像のうちの、上下方向の配列順番が同じもの同士を結合してそれぞれ分割動画像を生成するため、分割動画像は、図１０に示した各フレーム画像のうちの、上下方向の配列順番が同じである分割フレーム画像同士を、図１１に示すように、再生順番順に結合したようなものとなる。ただし本具体例においては、分割動画像取得部１０４が取得する各分割フレーム画像は、図１０に示したように、例えば、各ラインから取得された背景画像を除いた部分を一列に結合したものであり、分割動画像は、このような一列に結合した分割フレーム画像を再生順番に沿って一列に結合したものとなるため、分割動画像は図１１に示すような構造ではなく、図１２に示すような構造となっている。但し、図１２に示した分割動画像の構造は一例であって、必ずしも図１２のような構造でなくてもよい。ただし、図１１のような状態の、背景画像を除いた部分を分割したフレーム画像において、背景画像があった部分と分割された画像が除去された部分を、動画像再生装置で、透明な画像の部分として処理できるような単色の画素等で埋め込むようにして分割フレーム画像を生成して、このような分割フレーム画像で分割動画像を生成するようにしても良い。あるいは分割された画像が除去された部分を背景色で埋め込んでも良い。ただし、この場合、分割動画像のデータ量を削減するために、分割動画像においては、この連続した単色の背景画像の部分のデータ量が削減されるような圧縮であって、他の部分の劣化が生じないような圧縮、例えばＬＺＷ圧縮等を行うことが好ましい。
【０１４２】
そして、出力部１０５は、分割動画像取得部１０４が取得した図１２に示すような第一分割動画像１２１〜第四分割動画像１２４を、それぞれ、動画像再生装置２の第一分割動画像格納部２０１−１〜第四分割動画像格納部２０１−４に蓄積する。出力部１０５は、分割動画像を、分割動画像格納部２０１に蓄積されるための指示と対応付けて動画像再生装置２に送信して、動画像再生装置２に蓄積させても良く、この場合も結果的に出力部１０５が蓄積させたと考えて良い。なお、ここでは例として、出力部１０５は、予めユーザに指定された背景色の情報も、第一分割動画像１２１に蓄積する。これにより、動画像処理装置１による分割動画像を生成する処理が終了する。
【０１４３】
次に、例えば、ユーザが、動画像再生装置２に動画像を再生する指示を与えたとする。
【０１４４】
処理部２０２２は、第一分割動画像格納部２０１−１〜第四分割動画像格納部２０１−４に個別に格納されている図１２に示すような第一分割動画像１２１〜第四分割動画像１２４から、再生順番に従って分割フレーム画像を順次読み出す。各第一分割動画像格納部２０１−１〜第四分割動画像格納部２０１−４からの分割フレーム画像の読み出しは並列処理される。処理部２０２２は、例えば、第一分割動画像１２１〜第四分割動画像１２４を構成する分割フレーム画像ごとに設けられた再生順番情報７０を参照して、再生順番が早い分割フレーム画像を順番に読み出していく。読み出した分割フレーム画像は結合用格納部２０２１に一時記憶される。
【０１４５】
処理部２０２２は、第一分割動画像１２１〜第四分割動画像１２４のそれぞれから、再生順番が同じである第一分割フレーム画像〜第四分割フレーム画像を読み出すと、各分割フレーム画像からライン単位で情報を切り出す。例えば、図９に示すように、各分割フレーム画像において、各ラインから取得した画像の先頭に、後続する画像の配置される位置を示す位置情報が配置されているようにしておいた場合は、一の位置情報の検出されてから、次の位置情報が現れるまでの情報を順次取得する。
【０１４６】
そして、取得した各ラインの情報に含まれる位置情報が示す位置に、各ラインの情報に含まれる画像情報を配置していく。例えば、上述したように位置情報が、各ラインから取得された背景画像を除いた画像情報の左端の座標であったとすると、この座標が画像情報の左端となるように、各ラインの情報に含まれる画像情報を配置する。これによって、第一分割動画像１２１〜第四分割動画像１２４のそれぞれから取得した、再生順番が同じである第一分割フレーム画像〜第四分割フレーム画像を結合することができる。
【０１４７】
図１３は、再生順序が同じである第一分割フレーム画像１２１ａ〜第四分割フレーム画像１２４ａにライン別に格納されている画像を、位置情報が示す位置に配置する処理の例を示す図である。第一分割フレーム画像１２１ａ〜第四分割フレーム画像１２４ａのライン別の情報には、再生順番情報７０と、各ラインから取得された画像１３１〜１３８等と、各画像の配置される位置を示す位置情報１３１ａ〜１３８ａ等が含まれている。
【０１４８】
このようにして、各ラインに含まれている画像を配置することで、図１３で点線で示すような元のフレーム画像から背景画像を除去した状態の画像を得ることができる。
【０１４９】
ライン別に格納されている背景画像を除いた画像情報を配置する処理が終了すると、処理部２０２２は、画像が配置されていない領域に、動画像処理装置１で除去された背景画像を配置する。例えば、上述したように、背景色が予め決まっていた場合、背景色の色の情報を、例えば、第一分割動画像格納部２０１−１から読み出して、この背景色と同じ色の画素で、図１２に示した画像情報の周りを充填することで、第一分割動画像１２１〜第四分割動画像１２４のそれぞれから取得した、再生順番が同じである第一分割フレーム画像〜第四分割フレーム画像を結合した結合済のフレーム画像を取得する。
【０１５０】
そして、処理部２０２２は、結合済のフレーム画像を、結合用格納部２０２１に再生順番に沿って一時記憶する。
【０１５１】
処理部２０２２は、同様の処理を第一分割動画像１２１〜第四分割動画像１２４のそれぞれから再生順番に沿って読み出された、再生順番が同じである第一分割フレーム画像〜第四分割フレーム画像について順次行って、結合済のフレーム画像を取得して、結合用格納部２０２１に順次蓄積していく。
【０１５２】
図１４は、結合用格納部２０２１に一時記憶されている結合済のフレーム画像を示す図である。この場合、結合用格納部２０２１は、表示用の結合済のフレーム画像を一時記憶するバッファ等と考えても良い。図１３において、点線で示した部分は、第一分割フレーム画像〜第四分割フレーム画像から取得されて配置された画像である。
【０１５３】
そして、動画像表示部２０３は、結合用格納部２０２１に格納されている結合済のフレーム画像を順次読み出して、予め指定されたタイミング、例えば６０ｆｐｓ等で、読み出したフレーム画像を、図示しないモニタ等に表示する。例えば、動画像表示部２０３は、図１４に示すように、結合用格納部に格納されている結合済のフレーム画像を再生順番に沿って読み出して表示する。例えば、図１４においては、左側にあるフレーム画像を順次読み出して表示する。
【０１５４】
この具体例においては、背景画像を除いた各フレーム画像を４個に分割することで構成した分割動画像を、４個の分割動画像格納部２０１に蓄積するようにし、再生時には、各分割動画像格納部２０１からそれぞれ分割動画像の分割フレーム画像を読み出し、これを結合して、背景画像を充填することで、順次フレーム画像を作成して表示するようにした。これにより、各分割動画像の分割フレーム画像のサイズを元のサイズの四分の一以下とすることができる。このため、例えば、分割前の動画像が適切に再生するためには約４００ＭＢ／Ｓの転送速度が必要である非圧縮の高密度な動画像であっても、フレーム画像を４個に分割して得られる個々の分割動画像においては、再生に必要な転送速度が１００ＭＢ／Ｓより小さい分割動画像とすることができる。このため、この４個の分割動画像を、分割動画像格納部２０１にそれぞれを格納すれば、各分割動画像格納部２０１として、転送速度が１００ＭＢ／Ｓに満たないハードディスクを用いた場合であっても、再生に必要な速度で動画像のフレーム画像を順次取得して表示することが可能となる。これにより、分割動画像格納部２０１として、高速でない記録媒体を用いた場合であっても、高品質な画像をフレームの欠落や再生の停止等が生じさせることなく、適切に表示させることが可能となる。
【０１５５】
以上、本実施の形態によれば、動画像を構成するフレーム画像をＮ個に分割して取得した分割動画像をＮ個の分割動画像格納部２０１に格納するようにし、Ｎ個の分割動画像から分割フレーム画像を順次、個別に読み出して結合して表示するようにしたことにより、高速な転送速度を有する記録媒体を用いなくても、データ量が大きい高品質な動画像からフレーム画像を再生に十分な速度で取得して動画像をフレーム欠落等が生じないよう適切に表示することができる。これにより、高品質な画像を表示可能なシステムを安価に実現することが可能である。
【０１５６】
また、フレーム画像の背景画像を除いた部分を分割して得られた分割フレーム画像で分割動画像を構成するようにしたことにより、分割フレーム画像のデータ量を削減して、分割動画像の分割フレーム画像を読み出す速さをより速くすることができる。
【０１５７】
また、フレーム画像、あるいはフレーム画像の背景画像を除いた部分を略等分割して得られた分割フレーム画像で分割動画像を構成するようにしたことにより、再生時に分割フレーム画像を読み出す際の読み出し時間のばらつきが無くなり、結合対象となる分割フレーム画像が揃うまでの待ち時間等を削減でき、分割フレーム画像の読み出しから、結合したフレーム画像を作成するまでの時間を効率化することができる。
【０１５８】
また、本実施の形態においては、各分割動画像格納部２０１に、再生順序と対応付けられた分割フレーム画像で構成される分割動画像が個別に格納されているため、動画像の途中から再生を開始したい場合であっても、各分割動画像格納部２０１のそれぞれから再生開始の分割フレーム画像を直接検索すればよいため、再生位置の分割フレーム画像を高速に検出することができる。特に、各分割動画像格納部２０１に対する開始位置の分割フレーム画像の検出を、並列処理することで、より高速に再生位置の分割フレーム画像を検出することができる。
【０１５９】
なお、本実施の形態においては、仮に、分割動画像格納部２０１の一つが故障しても、故障した分割動画像格納部２０１に格納されている分割フレーム画像以外の部分のフレーム画像は、他の分割動画像格納部２０１の分割動画像から取得できるため、少なくとも動画像として画像を表示することが可能である。
【０１６０】
なお、上記各実施の形態において、各処理（各機能）は、単一の装置（システム）によって集中処理されることによって実現されてもよく、あるいは、複数の装置によって分散処理されることによって実現されてもよい。
【０１６１】
また、上記各実施の形態では、動画像処理装置がスタンドアロンである場合について説明したが、動画像処理装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０１６２】
なお、上記各実施の形態における動画像処理装置を実現するソフトウェアは、以下のようなプログラムである。つまり、このプログラムは、動画像を構成するフレーム画像が格納されるフレーム画像格納部にアクセス可能なコンピュータを、フレーム画像格納部に格納されている各フレーム画像をＮ個（Ｎは２以上の整数）の領域に分割して、分割された各領域のフレーム画像でそれぞれ構成されるＮ個の動画像である分割動画像を取得する分割動画像取得部と、分割動画像取得部が取得したＮ個の分割動画像を出力する出力部として機能させるためのプログラムである。
【０１６３】
また、本発明の動画像再生装置を実現するプログラムは、以下のようなプログラムである。つまり、このプログラムは、一の動画像を構成する各フレーム画像を、Ｎ個の領域に分割して得られた分割フレーム画像でそれぞれ構成される動画像であるＮ個の分割動画像が個別に格納されるＮ個の分割動画像格納部にアクセス可能なコンピュータを、Ｎ個の分割動画像格納部のそれぞれから分割動画像を構成する分割フレーム画像を読み出し、読み出した分割フレーム画像を結合して、時系列に沿った結合済のフレーム画像を取得する結合処理部と、結合処理部が取得した結合済のフレーム画像を時系列に沿って順次表示する動画像表示部として機能させるためのプログラムである。
【０１６４】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１６５】
また、このプログラムを実行するコンピュータは、単数であってもよく、複数であってもよい。すなわち、集中処理を行ってもよく、あるいは分散処理を行ってもよい。
【０１６６】
図１５は、上記プログラムを実行して、上記実施の形態による動画像処理装置や動画像再生装置を実現するコンピュータの外観の一例を示す模式図である。上記実施の形態は、コンピュータハードウェア及びその上で実行されるコンピュータプログラムによって実現されうる。
【０１６７】
図１５において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１６８】
図１６は、コンピュータシステム９００の内部構成を示す図である。図１６において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。また、コンピュータ９０１が、動画像再生装置２を実現する場合、ハードディスク９１４を複数備えているようにしてもよい。
【０１６９】
コンピュータシステム９００に、上記実施の形態による動画像処理装置等の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１７０】
プログラムは、コンピュータ９０１に、上記実施の形態による動画像処理装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１７１】
本発明は、以上の実施の形態に限定されることなく、種々の変更が可能であり、それらも本発明の範囲内に包含されるものであることは言うまでもない。
【産業上の利用可能性】
【０１７２】
以上のように、本発明にかかる動画像再生システム等は、動画像を再生するシステム等として適しており、特に、高品質の動画像を再生するシステム等として有用である。
【符号の説明】
【０１７３】
１  動画像処理装置
２  動画像再生装置
１０１  動画像格納部
１０２  フレーム画像取得部
１０３  フレーム画像格納部
１０４  分割動画像取得部
１０５  出力部
２０１  分割動画像格納部
２０２  結合処理部
２０３  動画像表示部
１０００  動画像再生システム
２０２１  結合格納部
２０２２  処理部
【図１】
2012114686.tif 000003
【図２】
2012114686.tif 000004
【図３】
2012114686.tif 000005
【図４】
2012114686.tif 000006
【図５】
2012114686.tif 000007
【図６】
2012114686.tif 000008
【図７】
2012114686.tif 000009
【図８】
2012114686.tif 000010
【図９】
2012114686.tif 000011
【図１０】
2012114686.tif 000012
【図１１】
2012114686.tif 000013
【図１２】
2012114686.tif 000014
【図１３】
2012114686.tif 000015
【図１４】
2012114686.tif 000016
【図１５】
2012114686.tif 000017
【図１６】
2012114686.tif 000018
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
動画像を構成するフレーム画像が格納されるフレーム画像格納部と、
前記フレーム画像格納部に格納されている各フレーム画像をＮ個（Ｎは２以上の整数）の領域に分割して、分割された各領域のフレーム画像でそれぞれ構成されるＮ個の動画像である分割動画像を取得する分割動画像取得部と、
前記分割動画像取得部が取得したＮ個の分割動画像を出力する出力部とを備え、
前記分割動画像取得部は、前記動画像を構成する各フレーム画像の背景画像を検出して、各フレーム画像から当該背景画像を除いた部分の画像を検出し、当該検出した背景画像を除いた部分の画像をＮ個の領域に分割して前記Ｎ個の分割動画像を構成し、
前記出力部は、前記Ｎ個の分割動画像を、異なるＮ個の格納部にそれぞれ蓄積する動画像処理装置。
【請求項２】
前記分割動画像取得部は、前記動画像を構成する各フレーム画像の背景画像を除いた部分をデータ量が略同一となるようＮ個の領域に分割してＮ個の分割動画像を構成する請求項１記載の動画像処理装置。
【請求項３】
前記分割動画像取得部は、前記動画像を構成する各フレーム画像の各ラインについて、両端からそれぞれ内側に向かって、予め指定された背景色の画素の検出を行い、予め指定された背景色の画素以外の画素が検出された場合に、当該背景色以外の画素で挟まれた部分の画素群を、背景画像を除いた部分の画像の画素群であると判断する処理を行って、各フレーム画像から背景画像を検出する請求項１または請求項２いずれか記載の動画像処理装置。
【請求項４】
前記予め指定された背景色は、単色である請求項３記載の動画像処理装置。
【請求項５】
一の動画像を構成する各フレーム画像を、Ｎ個の領域に分割して得られた分割フレーム画像でそれぞれ構成される動画像であるＮ個の分割動画像が個別に格納されるＮ個の分割動画像格納部と、
前記Ｎ個の分割動画像格納部のそれぞれから分割動画像を構成する前記分割フレーム画像を読み出し、読み出した分割フレーム画像を結合して、時系列に沿った結合済のフレーム画像を取得する結合処理部と、
前記結合処理部が取得した結合済のフレーム画像を時系列に沿って順次表示する動画像表示部とを備え、
前記Ｎ個の分割動画像格納部には、一の動画像を構成する各フレーム画像の背景画像を除いた部分が、Ｎ個に分割されたＮ個の分割動画像が個別に格納されており、
前記結合処理部は、前記分割フレーム画像または結合されたフレーム画像の背景画像であった領域を前記背景画像で満たして前記結合済のフレーム画像を取得する動画像再生装置。
【請求項６】
前記結合処理部は、前記Ｎ個の分割動画像格納部のそれぞれから分割フレーム画像の読み出しを並列処理する請求項５記載の動画像再生装置。
【請求項７】
前記結合処理部は、前記分割動画像格納部よりも高速にアクセス可能な結合用格納部を備えており、前記Ｎ個の分割動画像格納部のそれぞれから読み出した分割フレーム画像を、当該結合用格納部に蓄積して分割フレーム画像を結合することで、結合済のフレーム画像を取得する請求項５または請求項６記載の動画像再生装置。
【請求項８】
前記分割動画像は、分割フレーム画像の、前記結合済のフレーム画像内における位置を示す位置情報を有しており、
前記結合処理部は、前記位置情報が示す位置に各分割フレーム画像を配置して、結合済のフレーム画像を取得する請求項５から請求項７いずれか記載の動画像再生装置。
【請求項９】
動画像を構成するフレーム画像が格納されるフレーム画像格納部と、
前記フレーム画像格納部に格納されている各フレーム画像をＮ個の領域に分割して、分割して得られた各領域のフレーム画像である分割フレーム画像でそれぞれ構成されるＮ個の動画像である分割動画像を取得する分割動画像取得部と、
前記Ｎ個の分割動画像が個別に格納されるＮ個の分割動画像格納部と、
前記分割動画像取得部が取得したＮ個の分割動画像を、前記Ｎ個の分割動画像格納部に個別に蓄積する出力部と、
前記Ｎ個の分割動画像格納部のそれぞれから分割動画像を構成する分割フレーム画像を個別に読み出し、読み出した分割フレーム画像を結合して、時系列に沿った結合済のフレーム画像を取得する結合処理部と、
前記結合処理部が取得した結合済のフレーム画像を時系列に沿って順次表示する動画像表示部とを備え、
前記分割動画像取得部は、前記動画像を構成する各フレーム画像の背景画像を検出して、各フレーム画像から当該背景画像を除いた部分の画像を検出し、当該検出した背景画像を除いた部分の画像をＮ個の領域に分割して前記Ｎ個の分割動画像を構成し、
前記出力部は、前記Ｎ個の分割動画像を、異なるＮ個の格納部にそれぞれ蓄積し、
前記結合処理部は、前記分割フレーム画像または結合されたフレーム画像の背景画像であった領域を前記背景画像で満たして前記結合済のフレーム画像を取得する動画像再生システム。
【請求項１０】
動画像を構成するフレーム画像が格納されるフレーム画像格納部と、分割動画像取得部と、出力部とを用いて行われる動画像処理方法であって、
前記分割動画像取得部が、前記フレーム画像格納部に格納されている各フレーム画像をＮ個（Ｎは２以上の整数）の領域に分割して、分割された各領域のフレーム画像でそれぞれ構成されるＮ個の動画像である分割動画像を取得する分割動画像取得ステップと、
前記出力部が、前記分割動画像取得ステップで取得したＮ個の分割動画像を出力する出力ステップとを備え、
前記分割動画像取得ステップにおいて、分割動画像取得部は、前記動画像を構成する各フレーム画像の背景画像を検出して、各フレーム画像から当該背景画像を除いた部分の画像を検出し、当該検出した背景画像を除いた部分の画像をＮ個の領域に分割して前記Ｎ個の分割動画像を構成し、
前記出力ステップにおいて、前記出力部は、前記Ｎ個の分割動画像を、異なるＮ個の格納部にそれぞれ蓄積する動画像処理方法。
【請求項１１】
一の動画像を構成する各フレーム画像を、Ｎ個の領域に分割して得られた分割フレーム画像でそれぞれ構成される動画像であるＮ個の分割動画像が個別に格納されるＮ個の分割動画像格納部と、結合処理部と、動画像表示部とを用いて行われる動画像再生方法であって、
前記結合処理部は、前記Ｎ個の分割動画像格納部のそれぞれから分割動画像を構成する前記分割フレーム画像を読み出し、読み出した分割フレーム画像を結合して、時系列に沿った結合済のフレーム画像を取得する結合処理ステップと、
前記動画像表示部が、前記結合処理ステップで取得した結合済のフレーム画像を時系列に沿って順次表示する動画像表示ステップとを備え、
前記Ｎ個の分割動画像格納部には、一の動画像のうちの背景画像を除いた部分が、表示領域についてＮ個に分割されたＮ個の分割動画像が個別に格納されており、
前記結合処理ステップにおいて、前記結合処理部は、前記分割フレーム画像または結合されたフレーム画像の背景画像であった領域を前記背景画像で満たして前記結合済のフレーム画像を取得する動画像再生方法。
【請求項１２】
動画像を構成するフレーム画像が格納されるフレーム画像格納部にアクセス可能なコンピュータを、
前記フレーム画像格納部に格納されている各フレーム画像をＮ個（Ｎは２以上の整数）の領域に分割して、分割された各領域のフレーム画像でそれぞれ構成されるＮ個の動画像である分割動画像を取得する分割動画像取得部と、
前記分割動画像取得部が取得したＮ個の分割動画像を出力する出力部として機能させるためのプログラムであって、
前記分割動画像取得部は、前記動画像を構成する各フレーム画像の背景画像を検出して、各フレーム画像から当該背景画像を除いた部分の画像を検出し、当該検出した背景画像を除いた部分の画像をＮ個の領域に分割して前記Ｎ個の分割動画像を構成し、
前記出力部は、前記Ｎ個の分割動画像を、異なるＮ個の格納部にそれぞれ蓄積するプログラム。
【請求項１３】
一の動画像を構成する各フレーム画像を、Ｎ個の領域に分割して得られた分割フレーム画像でそれぞれ構成される動画像であるＮ個の分割動画像が個別に格納されるＮ個の分割動画像格納部にアクセス可能なコンピュータを、
前記Ｎ個の分割動画像格納部のそれぞれから分割動画像を構成する前記分割フレーム画像を読み出し、読み出した分割フレーム画像を結合して、時系列に沿った結合済のフレーム画像を取得する結合処理部と、
前記結合処理部が取得した結合済のフレーム画像を時系列に沿って順次表示する動画像表示部として機能させるためのプログラムであって、
前記Ｎ個の分割動画像格納部には、一の動画像のうちの背景画像を除いた部分が、表示領域についてＮ個に分割されたＮ個の分割動画像が個別に格納されており、
前記結合処理部は、前記分割フレーム画像または結合されたフレーム画像の背景画像であった領域を前記背景画像で満たして前記結合済のフレーム画像を取得するプログラム。